(57)【要約】  ワイヤレス通信のための方法、システム、およびデバイスが説明される。（マシンタイプ通信（ＭＴＣ）デバイスなどの）ワイヤレスデバイスは、通信リンクの帯域幅または複信構成に基づいて、システム情報ブロック（ＳＩＢ）のための１つまたは複数のスケジューリングパラメータを決定し得る。スケジューリングパラメータは、繰返しレベル、トランスポートブロックサイズ、サブフレームインデックスなどを含み得、スケジューリングパラメータは、ブロードキャスト通信（たとえば、マスタ情報ブロック（ＭＩＢ））におけるシグナリング、または周波数ホッピング構成、あるいはその両方に依存し得る。いくつかの場合には、ブロードキャストチャネルが、システム帯域幅の狭帯域領域内で送信時間間隔（ＴＴＩ）中にスケジュールされ得る。ＴＴＩ内の利用可能なリソースが識別され得、ＳＩＢは、ブロードキャスト情報のロケーションに基づいて、狭帯域領域内の利用可能なリソースにマッピングされ得る。【選択図】図４
2018518114.tif 000002
【特許請求の範囲】
【請求項１】
ユーザ機器（ＵＥ）によって実行されるワイヤレス通信の方法であって、
基地局との通信のための帯域幅または複信構成を決定することと、
前記帯域幅または複信構成に少なくとも部分的に基づいて、システム情報ブロック（ＳＩＢ）のためのスケジューリングパラメータを決定することと、
前記スケジューリングパラメータに従って前記ＳＩＢを受信することと
を備える、方法。
【請求項２】
ブロードキャスト通信において前記ＳＩＢのための前記スケジューリングパラメータを示すシグナリングを受信することをさらに備え、前記スケジューリングパラメータを決定することは、
前記決定された帯域幅または複信構成に少なくとも部分的に基づいて、前記受信されたシグナリングを解釈することを備える、
請求項１に記載の方法。
【請求項３】
前記ブロードキャスト通信は、マスタ情報ブロック（ＭＩＢ）を備える、
請求項２に記載の方法。
【請求項４】
前記シグナリングは、前記ＳＩＢのための前記スケジューリングパラメータを示すビットフィールドを備える、
請求項２に記載の方法。
【請求項５】
前記基地局との通信のための周波数ホッピング構成を決定することをさらに備え、前記ＳＩＢのための前記スケジューリングパラメータは、前記周波数ホッピング構成に少なくとも部分的に基づいて決定される、
請求項１に記載の方法。
【請求項６】
前記ＳＩＢのための前記スケジューリングパラメータは、繰返しレベル、トランスポートブロックサイズ、サブフレームインデックス、または割り当てられたリソースブロックの数のうちの少なくとも１つを備える、
請求項１に記載の方法。
【請求項７】
前記ＳＩＢがマシンタイプ通信（ＭＴＣ）ＳＩＢ１を備える、
請求項１に記載の方法。
【請求項８】
前記帯域幅および複信構成は、ブロードキャスト通信に少なくとも部分的に基づいて決定される、
請求項１に記載の方法。
【請求項９】
前記ブロードキャスト通信は、ＭＩＢ、プライマリ同期信号（ＰＳＳ）、またはセカンダリ同期信号（ＳＳＳ）のうちの最小１つとして備える、
請求項８に記載の方法。
【請求項１０】
前記ＳＩＢを受信することは、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢを受信するために利用可能なリソースを識別することと、
前記利用可能なリソースを識別することに少なくとも部分的に基づいて、前記狭帯域領域内で前記ＳＩＢをモニタすることと
を備える、請求項１に記載の方法。
【請求項１１】
ワイヤレス通信の方法であって、
ユーザ機器（ＵＥ）との通信のための帯域幅または複信構成を決定することと、
前記帯域幅または複信構成に少なくとも部分的に基づいて、システム情報ブロック（ＳＩＢ）のためのスケジューリングパラメータを決定することと、
前記スケジューリングパラメータに従って前記ＳＩＢを送信することと
を備える、方法。
【請求項１２】
ブロードキャスト通信において前記ＳＩＢのための前記スケジューリングパラメータを示すシグナリングを送信することをさらに備え、前記ＳＩＢのための前記スケジューリングパラメータは、前記帯域幅または複信構成に少なくとも部分的に基づいて示される、
請求項１１に記載の方法。
【請求項１３】
前記ブロードキャスト通信は、ＭＩＢ、プライマリ同期信号（ＰＳＳ）、またはセカンダリ同期信号（ＳＳＳ）を備える、
請求項１２に記載の方法。
【請求項１４】
前記シグナリングは、前記スケジューリングパラメータを示すビットフィールドを備える、
請求項１２に記載の方法。
【請求項１５】
周波数ホッピング構成を決定することをさらに備え、前記スケジューリングパラメータは、前記周波数ホッピング構成に少なくとも部分的に基づいて決定される、
請求項１１に記載の方法。
【請求項１６】
前記ＳＩＢを送信することは、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢのために利用可能なリソースを識別することと、
前記ＴＴＩの利用可能なリソースを識別することに少なくとも部分的に基づいて、前記狭帯域領域内のリソースに前記ＳＩＢをマッピングすることと
を備える、請求項１１に記載の方法。
【請求項１７】
ワイヤレス通信のための装置であって、
基地局との通信のための帯域幅または複信構成を決定するための手段と、
前記帯域幅または複信構成に少なくとも部分的に基づいて、システム情報ブロック（ＳＩＢ）のためのスケジューリングパラメータを決定するための手段と、
前記スケジューリングパラメータに従って前記ＳＩＢを受信するための手段と
を備える、装置。
【請求項１８】
ブロードキャスト通信において前記ＳＩＢのための前記スケジューリングパラメータを示すシグナリングを受信するための手段をさらに備え、前記スケジューリングパラメータを前記決定するための手段は、前記決定された帯域幅または複信構成に少なくとも部分的に基づいて、前記受信されたシグナリングを解釈するための手段を備える、
請求項１７に記載の装置。
【請求項１９】
前記ブロードキャスト通信は、マスタ情報ブロック（ＭＩＢ）を備える、
請求項１８に記載の装置。
【請求項２０】
前記シグナリングは、前記ＳＩＢのための前記スケジューリングパラメータを示すビットフィールドを備える、
請求項１８に記載の装置。
【請求項２１】
前記基地局との通信のための周波数ホッピング構成を決定するための手段をさらに備え、前記ＳＩＢのための前記スケジューリングパラメータを前記決定するための手段は、前記周波数ホッピング構成に少なくとも部分的に基づいて決定を行うように動作可能である、
請求項１７に記載の装置。
【請求項２２】
前記ＳＩＢのための前記スケジューリングパラメータが、繰返しレベル、トランスポートブロックサイズ、サブフレームインデックス、または割り当てられたリソースブロックの数のうちの少なくとも１つを備える、
請求項１７に記載の装置。
【請求項２３】
前記ＳＩＢは、マシンタイプ通信（ＭＴＣ）ＳＩＢ１を備える、
請求項１７に記載の装置。
【請求項２４】
前記帯域幅または複信構成を前記決定するための手段は、ブロードキャスト通信に少なくとも部分的に基づいて決定を行うように動作可能である、
請求項１７に記載の装置。
【請求項２５】
前記ブロードキャスト通信は、ＭＩＢ、プライマリ同期信号（ＰＳＳ）、またはセカンダリ同期信号（ＳＳＳ）のうちの最小１つとして備える、
請求項２４に記載の装置。
【請求項２６】
ブロードキャストチャネルがシステム帯域幅の狭帯域領域内で送信時間間隔（ＴＴＩ）中にスケジュールされると決定するための手段と、
前記決定に少なくとも部分的に基づいて、前記ＴＴＩ中に前記ＳＩＢを受信するために利用可能なリソースを識別するための手段と、
前記利用可能なリソースを識別することに少なくとも部分的に基づいて、前記狭帯域領域内で前記ＳＩＢをモニタするための手段と
をさらに備える、請求項１７に記載の装置。
【請求項２７】
ワイヤレス通信のための装置であって、
ユーザ機器（ＵＥ）との通信のための帯域幅または複信構成を決定するための手段と、
前記帯域幅または複信構成に少なくとも部分的に基づいて、システム情報ブロック（ＳＩＢ）のためのスケジューリングパラメータを決定するための手段と、
前記スケジューリングパラメータに従って前記ＳＩＢを送信するための手段と
を備える、装置。
【請求項２８】
ブロードキャスト通信において前記ＳＩＢのための前記スケジューリングパラメータを示すシグナリングを送信するための手段をさらに備え、前記ＳＩＢのための前記スケジューリングパラメータは、前記帯域幅または複信構成に少なくとも部分的に基づいて示される、
請求項２７に記載の装置。
【請求項２９】
前記ブロードキャスト通信は、ＭＩＢ、プライマリ同期信号（ＰＳＳ）、またはセカンダリ同期信号（ＳＳＳ）を備える、
請求項２８に記載の装置。
【請求項３０】
前記シグナリングは、前記スケジューリングパラメータを示すビットフィールドを備える、
請求項２８に記載の装置。
【請求項３１】
周波数ホッピング構成を決定するための手段をさらに備え、前記スケジューリングパラメータを前記決定するための手段は、前記周波数ホッピング構成に少なくとも部分的に基づいて決定を行うように動作可能である、
請求項２７に記載の装置。
【請求項３２】
ブロードキャストチャネルがシステム帯域幅の狭帯域領域内で送信時間間隔（ＴＴＩ）中にスケジュールされると決定するための手段と、
前記決定に少なくとも部分的に基づいて、前記ＴＴＩ中に前記ＳＩＢのために利用可能なリソースを識別するための手段と、
前記ＴＴＩの利用可能なリソースを識別することに少なくとも部分的に基づいて、前記狭帯域領域内のリソースに前記ＳＩＢをマッピングするための手段と
をさらに備える、請求項２７に記載の装置。
【請求項３３】
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
基地局との通信のための帯域幅または複信構成を決定することと、
前記帯域幅または複信構成に少なくとも部分的に基づいて、システム情報ブロック（ＳＩＢ）のためのスケジューリングパラメータを決定することと、
前記スケジューリングパラメータに従って前記ＳＩＢを受信することと
を行わせるように動作可能である、装置。
【請求項３４】
前記命令は、前記装置に、
ブロードキャスト通信において前記ＳＩＢのための前記スケジューリングパラメータを示すシグナリングを受信することと、
前記スケジューリングパラメータを決定するために、前記決定された帯域幅または複信構成に少なくとも部分的に基づいて、前記受信されたシグナリングを解釈することと
を行わせるように動作可能である、請求項３３に記載の装置。
【請求項３５】
前記ブロードキャスト通信は、マスタ情報ブロック（ＭＩＢ）を備える、
請求項３４に記載の装置。
【請求項３６】
前記シグナリングは、前記ＳＩＢのための前記スケジューリングパラメータを示すビットフィールドを備える、請求項３４に記載の装置。
【請求項３７】
前記命令が、前記装置に、
前記基地局との通信のための周波数ホッピング構成を決定することと、
前記周波数ホッピング構成に少なくとも部分的に基づいて、前記ＳＩＢのための前記スケジューリングパラメータを決定することと
を行わせるように動作可能である、請求項３３に記載の装置。
【請求項３８】
前記ＳＩＢのための前記スケジューリングパラメータは、繰返しレベル、トランスポートブロックサイズ、サブフレームインデックス、または割り当てられたリソースブロックの数のうちの少なくとも１つを備える、
請求項３３に記載の装置。
【請求項３９】
前記ＳＩＢは、マシンタイプ通信（ＭＴＣ）ＳＩＢ１を備える、
請求項３３に記載の装置。
【請求項４０】
前記命令は、前記装置に、
ブロードキャスト通信に少なくとも部分的に基づいて、前記帯域幅および複信構成を決定すること
を行わせるように動作可能である、
請求項３３に記載の装置。
【請求項４１】
前記ブロードキャスト通信は、ＭＩＢ、プライマリ同期信号（ＰＳＳ）、またはセカンダリ同期信号（ＳＳＳ）のうちの最小１つとして備える、
請求項４０に記載の装置。
【請求項４２】
前記命令は、前記装置に、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢを受信するために利用可能なリソースを識別することと、
前記利用可能なリソースを識別することに少なくとも部分的に基づいて、前記狭帯域領域内で前記ＳＩＢをモニタすることと
を行わせるように動作可能である、請求項３３に記載の装置。
【請求項４３】
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
ユーザ機器（ＵＥ）との通信のための帯域幅または複信構成を決定することと、
前記帯域幅または複信構成に少なくとも部分的に基づいて、ＳＩＢのためのスケジューリングパラメータを決定することと、
前記スケジューリングパラメータに従って前記ＳＩＢを送信することと
を行わせるように動作可能である、装置。
【請求項４４】
前記命令は、前記装置に、
ブロードキャスト通信において前記ＳＩＢのための前記スケジューリングパラメータを示すシグナリングを送信することと、
前記帯域幅または複信構成に少なくとも部分的に基づいて、前記ＳＩＢのための前記スケジューリングパラメータを示すことと
を行わせるように動作可能である、請求項４３に記載の装置。
【請求項４５】
前記ブロードキャスト通信は、ＭＩＢ、プライマリ同期信号（ＰＳＳ）、またはセカンダリ同期信号（ＳＳＳ）を備える、
請求項４４に記載の装置。
【請求項４６】
前記シグナリングは、前記スケジューリングパラメータを示すビットフィールドを備える、
請求項４４に記載の装置。
【請求項４７】
前記命令は、前記装置に、
周波数ホッピング構成を決定することと、
前記周波数ホッピング構成に少なくとも部分的に基づいて、前記スケジューリングパラメータを決定することと
を行わせるように動作可能である、請求項４３に記載の装置。
【請求項４８】
前記命令は、前記装置に、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢのために利用可能なリソースを識別することと、
前記ＴＴＩの利用可能なリソースを識別することに少なくとも部分的に基づいて、前記狭帯域領域内のリソースに前記ＳＩＢをマッピングすることと
を行わせるように動作可能である、請求項４３に記載の装置。
【請求項４９】
ワイヤレス通信のためのコードを記憶する非一時的コンピュータ可読媒体であって、前記コードは、
基地局との通信のための帯域幅または複信構成を決定することと、
前記帯域幅または複信構成に少なくとも部分的に基づいて、システム情報ブロック（ＳＩＢ）のためのスケジューリングパラメータを決定することと、
前記スケジューリングパラメータに従って前記ＳＩＢを受信することと
を行うために実行可能な命令を備える、非一時的コンピュータ可読媒体。
【請求項５０】
前記命令は、
ブロードキャスト通信において前記ＳＩＢのための前記スケジューリングパラメータを示すシグナリングを受信することと、
前記スケジューリングパラメータを決定するために、前記決定された帯域幅または複信構成に少なくとも部分的に基づいて、前記受信されたシグナリングを解釈することと
を行うために実行可能である、請求項４９に記載の非一時的コンピュータ可読媒体。
【請求項５１】
前記ブロードキャスト通信は、マスタ情報ブロック（ＭＩＢ）を備える、
請求項５０に記載の非一時的コンピュータ可読媒体。
【請求項５２】
前記シグナリングは、前記ＳＩＢのための前記スケジューリングパラメータを示すビットフィールドを備える、
請求項５０に記載の非一時的コンピュータ可読媒体。
【請求項５３】
前記命令は、
前記基地局との通信のための周波数ホッピング構成を決定することと、
前記周波数ホッピング構成に少なくとも部分的に基づいて、前記ＳＩＢのための前記スケジューリングパラメータを決定することと
を行うために実行可能である、請求項４９に記載の非一時的コンピュータ可読媒体。
【請求項５４】
前記ＳＩＢのための前記スケジューリングパラメータは、繰返しレベル、トランスポートブロックサイズ、サブフレームインデックス、または割り当てられたリソースブロックの数のうちの少なくとも１つを備える、
請求項４９に記載の非一時的コンピュータ可読媒体。
【請求項５５】
前記ＳＩＢは、マシンタイプ通信（ＭＴＣ）ＳＩＢ１を備える、
請求項４９に記載の非一時的コンピュータ可読媒体。
【請求項５６】
前記命令は、
ブロードキャスト通信に少なくとも部分的に基づいて、前記帯域幅および複信構成を決定することを行うために実行可能である、
請求項４９に記載の非一時的コンピュータ可読媒体。
【請求項５７】
前記ブロードキャスト通信は、ＭＩＢ、プライマリ同期信号（ＰＳＳ）、またはセカンダリ同期信号（ＳＳＳ）のうちの最小１つとして備える、
請求項５６に記載の非一時的コンピュータ可読媒体。
【請求項５８】
前記命令は、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢを受信するために利用可能なリソースを識別することと、
前記利用可能なリソースを識別することに少なくとも部分的に基づいて、前記狭帯域領域内で前記ＳＩＢをモニタすることと
を行うために実行可能である、請求項４９に記載の非一時的コンピュータ可読媒体。
【請求項５９】
ワイヤレス通信のためのコードを記憶する非一時的コンピュータ可読媒体であって、前記コードは、
ユーザ機器（ＵＥ）との通信のための帯域幅または複信構成を決定することと、
前記帯域幅または複信構成に少なくとも部分的に基づいて、ＳＩＢのためのスケジューリングパラメータを決定することと、
前記スケジューリングパラメータに従って前記ＳＩＢを送信することと
を行うために実行可能な命令を備える、非一時的コンピュータ可読媒体。
【請求項６０】
前記命令は、
ブロードキャスト通信において前記ＳＩＢのための前記スケジューリングパラメータを示すシグナリングを送信することと、
前記帯域幅または複信構成に少なくとも部分的に基づいて、前記ＳＩＢのための前記スケジューリングパラメータを示すことと
を行うために実行可能である、請求項５９に記載の非一時的コンピュータ可読媒体。
【請求項６１】
前記ブロードキャスト通信は、ＭＩＢ、プライマリ同期信号（ＰＳＳ）、またはセカンダリ同期信号（ＳＳＳ）を備える、請求項６０に記載の非一時的コンピュータ可読媒体。
【請求項６２】
前記シグナリングは、前記スケジューリングパラメータを示すビットフィールドを備える、
請求項６０に記載の非一時的コンピュータ可読媒体。
【請求項６３】
前記命令は、
周波数ホッピング構成を決定することと、
前記周波数ホッピング構成に少なくとも部分的に基づいて、前記スケジューリングパラメータを決定することと
を行うために実行可能である、請求項５９に記載の非一時的コンピュータ可読媒体。
【請求項６４】
前記命令は、
ブロードキャストチャネルがシステム帯域幅の狭帯域領域内で送信時間間隔（ＴＴＩ）中にスケジュールされると決定することと、
前記決定に少なくとも部分的に基づいて、前記ＴＴＩ中に前記ＳＩＢのために利用可能なリソースを識別することと、
前記ＴＴＩの利用可能なリソースを識別することに少なくとも部分的に基づいて、前記狭帯域領域内のリソースに前記ＳＩＢをマッピングすることと
を行うために実行可能である、請求項５９に記載の非一時的コンピュータ可読媒体。
【発明の詳細な説明】
【相互参照】
【０００１】
[0001]本特許出願は、各々が本出願の譲受人に譲渡された、２０１６年６月９日に出願された、「System Information for Enhanced Machine Type Communication」と題する、Ｒｉｃｏ  Ａｌｖａｒｉｎｏらによる米国特許出願第１５／１７８，２５３号、および２０１５年６月１６日に出願された、「System Information for Enhanced Machine Type Communication」と題する、Ｒｉｃｏ  Ａｌｖａｒｉｎｏらによる米国仮特許出願第６２／１８０，４６３号の優先権を主張する。
【背景技術】
【０００２】
[0002]以下は、一般にワイヤレス通信に関し、より詳細には、拡張マシンタイプ通信（ｅＭＴＣ：enhanced machine type communication）のためのシステム情報に関する。
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]いくつかのワイヤレスシステムでは、システム情報は、１つまたは複数のブロードキャストメッセージを介して通信され得る。いくつかの場合には、異なるシステム情報が、これらのメッセージを受信または復号するために異なるデバイスによって使用され得る。たとえば、マシンタイプ通信（ＭＴＣ）デバイスは、他のＵＥとは異なるシステム情報を利用し得、ＭＴＣデバイスのためのシステム情報は、特定のタイミングを用いて、特定のスケジュールに従って、またはいくつかの周波数リソースを用いてブロードキャストされ得る。デバイスがそのようなタイミング、スケジューリング、または周波数リソースに気づいていない場合、デバイスは、ワイヤレスネットワークに接続することが可能でないことがある。
【発明の概要】
【０００５】
[0005]（マシンタイプ通信（ＭＴＣ）デバイスなどの）ワイヤレスデバイスは、通信リンクの帯域幅または複信構成に基づいて、システム情報ブロック（ＳＩＢ）のための１つまたは複数のスケジューリングパラメータを決定し得る。スケジューリングパラメータは、ブロードキャスト通信（たとえば、マスタ情報ブロック（ＭＩＢ））におけるシグナリング、または周波数ホッピング構成、あるいはその両方に依存し得る。いくつかの場合には、ブロードキャストチャネルは、システム帯域幅の狭帯域領域内で送信時間間隔（ＴＴＩ：transmission time interval）中にスケジュールされる。ＴＴＩ内の狭帯域領域のすべてのリソースよりも少ないことがある、ＴＴＩ内の利用可能なリソースが識別され得、ＳＩＢは、利用可能なリソースにマッピングされ得る。ＳＩＢのための利用可能なリソースの決定が、ブロードキャスト情報のロケーションに基づき得、たとえば、ＳＩＢは、ブロードキャストチャネルとの衝突を回避するようにマッピングされ得る。
【０００６】
[0006]ワイヤレス通信の方法が説明される。本方法は、基地局との通信のための帯域幅または複信構成を決定することと、帯域幅または複信構成に基づいて、ＳＩＢのためのスケジューリングパラメータを決定することと、スケジューリングパラメータに従ってＳＩＢを受信することとを含み得る。
【０００７】
[0007]ワイヤレス通信のための装置が説明される。本装置は、基地局との通信のための帯域幅または複信構成を決定するための手段と、帯域幅または複信構成に基づいて、ＳＩＢのためのスケジューリングパラメータを決定するための手段と、スケジューリングパラメータに従ってＳＩＢを受信するための手段とを含み得る。
【０００８】
[0008]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、基地局との通信のための帯域幅または複信構成を決定することと、帯域幅または複信構成に基づいて、ＳＩＢのためのスケジューリングパラメータを決定することと、スケジューリングパラメータに従ってＳＩＢを受信することとを行わせるように動作可能である。
【０００９】
[0009]ワイヤレス通信のためのコードを記憶する非一時的コンピュータ可読媒体が説明される。コードは、基地局との通信のための帯域幅または複信構成を決定することと、帯域幅または複信構成に基づいて、ＳＩＢのためのスケジューリングパラメータを決定することと、スケジューリングパラメータに従ってＳＩＢを受信することとを行うために実行可能な命令を含み得る。
【００１０】
[0010]ここで説明される方法、装置、または非一時的コンピュータ可読媒体のいくつかの例は、ブロードキャスト通信においてＳＩＢのためのスケジューリングパラメータを示すシグナリングを受信するためのプロセス、特徴、手段、または命令をさらに含み得、ここで、スケジューリングパラメータを決定することは、決定された帯域幅または複信構成に基づいて、受信されたシグナリングを解釈することを伴う。追加または代替として、いくつかの例では、ブロードキャスト通信はマスタ情報ブロック（ＭＩＢ：master information block）であり得る。
【００１１】
[0011]ここで説明される方法、装置、または非一時的コンピュータ可読媒体のいくつかの例では、シグナリングは、ＳＩＢのためのスケジューリングパラメータを示すビットフィールドを備える。追加または代替として、いくつかの例は、基地局との通信のための周波数ホッピング構成を決定するためのプロセス、特徴、手段、または命令を含み得、ここで、ＳＩＢのためのスケジューリングパラメータは、周波数ホッピング構成に基づいて決定される。
【００１２】
[0012]ここで説明される方法、装置、または非一時的コンピュータ可読媒体のいくつかの例では、ＳＩＢのためのスケジューリングパラメータは、繰返しレベル、トランスポートブロックサイズ、またはサブフレームインデックスのうちの少なくとも１つを備える。追加または代替として、いくつかの例では、ＳＩＢのためのスケジューリングパラメータは、割り当てられたリソースブロックの数を備える。
【００１３】
[0013]本明細書で説明される方法、装置、または非一時的コンピュータ可読媒体のいくつかの例では、ＳＩＢはマシンタイプ通信（ＭＴＣ）ＳＩＢ１を伴う。追加または代替として、いくつかの例では、帯域幅および複信構成は、ブロードキャスト通信に基づいて決定される。
【００１４】
[0014]ここで説明される方法、装置、または非一時的コンピュータ可読媒体のいくつかの例では、ブロードキャスト通信は、ＭＩＢ、プライマリ同期信号（ＰＳＳ：primary synchronization signal）、またはセカンダリ同期信号（ＳＳＳ：secondary synchronization signal）のうちの最小１つとして含んでいることがある。
【００１５】
[0015]ワイヤレス通信のさらなる方法が説明される。本方法は、ブロードキャストチャネルがシステム帯域幅の狭帯域領域内でＴＴＩ中にスケジュールされると決定することと、決定に基づいて、ＴＴＩ中にＳＩＢを受信するために利用可能なリソースを識別することと、利用可能なリソースを識別することに基づいて、狭帯域領域内でＳＩＢをモニタすることとを含み得る。
【００１６】
[0016]ワイヤレス通信のためのさらなる装置が説明される。本装置は、ブロードキャストチャネルがシステム帯域幅の狭帯域領域内でＴＴＩ中にスケジュールされると決定するための手段と、決定に基づいて、ＴＴＩ中にＳＩＢを受信するために利用可能なリソースを識別するための手段と、利用可能なリソースを識別することに基づいて、狭帯域領域内でＳＩＢをモニタするための手段とを含み得る。
【００１７】
[0017]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、ブロードキャストチャネルがシステム帯域幅の狭帯域領域内でＴＴＩ中にスケジュールされると決定することと、決定に基づいて、ＴＴＩ中にＳＩＢを受信するために利用可能なリソースを識別することと、利用可能なリソースを識別することに基づいて、狭帯域領域内でＳＩＢをモニタすることとを行わせるように動作可能である。
【００１８】
[0018]ワイヤレス通信のためのコードを記憶するさらなる非一時的コンピュータ可読媒体が説明される。コードは、ブロードキャストチャネルがシステム帯域幅の狭帯域領域内でＴＴＩ中にスケジュールされると決定することと、決定に基づいて、ＴＴＩ中にＳＩＢを受信するために利用可能なリソースを識別することと、利用可能なリソースを識別することに基づいて、狭帯域領域内でＳＩＢをモニタすることとを行うために実行可能な命令を含み得る。
【００１９】
[0019]本明細書で説明される方法、装置、または非一時的コンピュータ可読媒体のいくつかの例では、利用可能なリソースは、ブロードキャストチャネルを除外するＴＴＩのリソースブロックを備え、ＳＩＢをモニタすることは、ブロードキャストチャネルを除外するＴＴＩのリソースブロック上でＳＩＢをモニタすることと、ブロードキャストチャネルがＴＴＩ中にスケジュールされるという決定に基づいて、ＴＴＩ中にＳＩＢをモニタすることを控えることとを備える。追加または代替として、いくつかの例では、ＳＩＢのために利用可能なリソースは、ブロードキャストチャネルを除外する狭帯域領域のサブキャリアを備え、ＳＩＢをモニタすることは、ブロードキャストチャネルを除外するサブキャリア上でＴＴＩ中にＳＩＢをモニタすることを含み得る。
【００２０】
[0020]本明細書で説明される方法、装置、または非一時的コンピュータ可読媒体のいくつかの例では、ＳＩＢのために利用可能なリソースは、狭帯域領域内のサブキャリアの利用可能な部分を備え、サブキャリアはブロードキャストチャネルを備え、利用可能な部分は、ブロードキャストチャネルを除外するリソース要素を備え、ＳＩＢをモニタすることは、サブキャリアの利用可能な部分上でＴＴＩ中にＳＩＢをモニタすることを含み得る。追加または代替として、いくつかの例は、ブロードキャストチャネル繰返しのために利用可能なリソース要素の第１のセットを識別するためのプロセス、特徴、手段、または命令を含み得、ここにおいて、ＳＩＢをモニタすることは、第１のセットのリソース要素を除外するリソース要素の第２のセット上でＴＴＩ中にＳＩＢをモニタすることを伴い得る。
【００２１】
[0021]本明細書で説明される方法、装置、または非一時的コンピュータ可読媒体のいくつかの例では、ＳＩＢをモニタすることは、セル固有基準信号（ＣＲＳ：cell-specific reference signal）送信のために利用可能であるＴＴＩのリソース要素上でモニタすることを含み得、ここにおいて、リソース要素はＣＲＳ送信を除外する。追加または代替として、いくつかの例は、ＣＲＳ送信のために利用可能なリソース要素をモニタすることを控えるためのプロセス、特徴、手段、または命令を含み得る。
【００２２】
[0022]ワイヤレス通信のさらなる方法が説明される。本方法は、ＵＥまたはＵＥのグループとの通信のための帯域幅または複信構成を決定することと、帯域幅または複信構成に基づいて、ＳＩＢのためのスケジューリングパラメータを決定することと、スケジューリングパラメータに従ってＳＩＢを送信することとを含み得る。
【００２３】
[0023]ワイヤレス通信のためのさらなる装置が説明される。本装置は、ＵＥまたはＵＥのグループとの通信のための帯域幅または複信構成を決定するための手段と、帯域幅または複信構成に基づいて、ＳＩＢのためのスケジューリングパラメータを決定するための手段と、スケジューリングパラメータに従ってＳＩＢを送信するための手段とを含み得る。
【００２４】
[0024]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、ＵＥまたはＵＥのグループとの通信のための帯域幅または複信構成を決定することと、帯域幅または複信構成に基づいて、ＳＩＢのためのスケジューリングパラメータを決定することと、スケジューリングパラメータに従ってＳＩＢを送信することとを行わせるように動作可能である。
【００２５】
[0025]ワイヤレス通信のためのコードを記憶するさらなる非一時的コンピュータ可読媒体が説明される。コードは、ＵＥまたはＵＥのグループとの通信のための帯域幅または複信構成を決定することと、帯域幅または複信構成に基づいて、ＳＩＢのためのスケジューリングパラメータを決定することと、スケジューリングパラメータに従ってＳＩＢを送信することとを行うために実行可能な命令を含み得る。
【００２６】
[0026]ここで説明される方法、装置、または非一時的コンピュータ可読媒体のいくつかの例は、ブロードキャスト通信においてＳＩＢのためのスケジューリングパラメータを示すシグナリングを送信するためのプロセス、特徴、手段、または命令をさらに含み得、ここで、ＳＩＢのためのスケジューリングパラメータは、システム帯域幅または複信構成に基づいて示される。追加または代替として、いくつかの例では、ブロードキャスト通信は、ＭＩＢ、あるいは同期信号ＰＳＳまたはＳＳＳを備える。
【００２７】
[0027]ここで説明される方法、装置、または非一時的コンピュータ可読媒体のいくつかの例では、シグナリングは、スケジューリングパラメータを示すビットフィールドを備える。追加または代替として、いくつかの例は、周波数ホッピング構成を決定するためのプロセス、特徴、手段、または命令を含み得、ここにおいて、スケジューリングパラメータは、周波数ホッピング構成に基づいて決定される。
【００２８】
[0028]ワイヤレス通信のさらなる方法が説明される。本方法は、ブロードキャストチャネルがシステム帯域幅の狭帯域領域内でＴＴＩ中にスケジュールされると決定することと、決定に少なくとも部分的に基づいて、ＴＴＩ中にＳＩＢのために利用可能なリソースを識別することと、ＴＴＩの利用可能なリソースを識別することに基づいて、狭帯域領域内のリソースにＳＩＢをマッピングすることとを含み得る。
【００２９】
[0029]ワイヤレス通信のためのさらなる装置が説明される。本装置は、ブロードキャストチャネルがシステム帯域幅の狭帯域領域内でＴＴＩ中にスケジュールされると決定するための手段と、決定に基づいて、ＴＴＩ中にＳＩＢのために利用可能なリソースを識別するための手段と、ＴＴＩの利用可能なリソースを識別することに少なくとも部分的に基づいて、狭帯域領域内のリソースにＳＩＢをマッピングするための手段とを含み得る。
【００３０】
[0030]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、ブロードキャストチャネルがシステム帯域幅の狭帯域領域内でＴＴＩ中にスケジュールされると決定することと、決定に基づいて、ＴＴＩ中にＳＩＢのために利用可能なリソースを識別することと、ＴＴＩの利用可能なリソースを識別することに少なくとも部分的に基づいて、狭帯域領域内のリソースにＳＩＢをマッピングすることとを行わせるように動作可能である。
【００３１】
[0031]ワイヤレス通信のためのコードを記憶するさらなる非一時的コンピュータ可読媒体が説明される。コードは、ブロードキャストチャネルがシステム帯域幅の狭帯域領域内でＴＴＩ中にスケジュールされると決定することと、決定に基づいて、ＴＴＩ中にＳＩＢのために利用可能なリソースを識別することと、ＴＴＩの利用可能なリソースを識別することに基づいて、狭帯域領域内のリソースにＳＩＢをマッピングすることとを行うために実行可能な命令を含み得る。
【００３２】
[0032]ここで説明される方法、装置、または非一時的コンピュータ可読媒体のいくつかの例は、ＴＴＩ内のリソースにＳＩＢをマッピングすることを控えるためのプロセス、特徴、手段、または命令をさらに含み得る。追加または代替として、いくつかの例では、ＳＩＢのために利用可能なリソースは、ブロードキャストチャネルを除外するサブキャリアを備え、ＳＩＢをマッピングすることは、ブロードキャストチャネルを除外するサブキャリア上にＴＴＩ内のＳＩＢをマッピングすることを備える。
【００３３】
[0033]ここで説明される方法、装置、または非一時的コンピュータ可読媒体のいくつかの例では、ＳＩＢのために利用可能なリソースは、狭帯域領域内のサブキャリアの利用可能な部分を備え、ここにおいて、サブキャリアはブロードキャストチャネルを含み得、利用可能な部分は、ブロードキャストチャネルを除外するリソース要素を備え、ＳＩＢをマッピングすることは、サブキャリアの利用可能な部分上にＴＴＩ内のＳＩＢをマッピングすることを伴い得る。追加または代替として、いくつかの例は、ブロードキャストチャネル繰返しのために利用可能なＴＴＩのリソース要素の第１のセットを識別するためのプロセス、特徴、手段、または命令を含み得、ＳＩＢをマッピングすることは、第１のセットのリソース要素を除外するＴＴＩのリソース要素の第２のセット上にＳＩＢをマッピングすることを伴い得る。
【００３４】
[0034]ここで説明される方法、装置、または非一時的コンピュータ可読媒体のいくつかの例では、ＳＩＢをマッピングすることは、ＣＲＳ送信のために利用可能なリソース要素上にＳＩＢをマッピングすることを含み得る。追加または代替として、いくつかの例では、ＳＩＢをマッピングすることは、セル固有基準信号（ＣＲＳ）送信のために利用可能なリソース要素を除外するリソース要素上にＳＩＢをマッピングすることを含み得る。
【００３５】
[0035]本開示の態様は、以下の図を参照して説明される。
【図面の簡単な説明】
【００３６】
【図１】本開示の様々な態様による、拡張マシンタイプ通信（ｅＭＴＣ）のためのシステム情報をサポートするワイヤレス通信システムの一例を示す図。
【図２】本開示の様々な態様による、ｅＭＴＣのためのシステム情報をサポートするワイヤレス通信システムの一例を示す図。
【図３Ａ】本開示の様々な態様による、ｅＭＴＣのためのシステム情報をサポートするスケジューリングスキームの例を示す図。
【図３Ｂ】本開示の様々な態様による、ｅＭＴＣのためのシステム情報をサポートするスケジューリングスキームの例を示す図。
【図３Ｃ】本開示の様々な態様による、ｅＭＴＣのためのシステム情報をサポートするスケジューリングスキームの例を示す図。
【図３Ｄ】本開示の様々な態様による、ｅＭＴＣのためのシステム情報をサポートするスケジューリングスキームの例を示す図。
【図４】本開示の様々な態様による、ｅＭＴＣのためのシステム情報をサポートするシステムにおけるプロセスフローの一例を示す図。
【図５】本開示の様々な態様による、ｅＭＴＣのためのシステム情報をサポートする１つまたは複数のワイヤレスデバイスのブロック図。
【図６】本開示の様々な態様による、ｅＭＴＣのためのシステム情報をサポートする１つまたは複数のワイヤレスデバイスのブロック図。
【図７】本開示の様々な態様による、ｅＭＴＣのためのシステム情報をサポートする１つまたは複数のワイヤレスデバイスのブロック図。
【図８】本開示の様々な態様による、ｅＭＴＣのためのシステム情報をサポートする、ユーザ機器（ＵＥ）を含む、システムのブロック図。
【図９】本開示の様々な態様による、ｅＭＴＣのためのシステム情報をサポートする１つまたは複数のワイヤレスデバイスのブロック図。
【図１０】本開示の様々な態様による、ｅＭＴＣのためのシステム情報をサポートする１つまたは複数のワイヤレスデバイスのブロック図。
【図１１】本開示の様々な態様による、ｅＭＴＣのためのシステム情報をサポートする１つまたは複数のワイヤレスデバイスのブロック図。
【図１２】本開示の様々な態様による、ｅＭＴＣのためのシステム情報をサポートする、基地局を含む、システムのブロック図。
【図１３】本開示の様々な態様による、ｅＭＴＣのためのシステム情報のための方法を示す図。
【図１４】本開示の様々な態様による、ｅＭＴＣのためのシステム情報のための方法を示す図。
【図１５】本開示の様々な態様による、ｅＭＴＣのためのシステム情報のための方法を示す図。
【図１６】本開示の様々な態様による、ｅＭＴＣのためのシステム情報のための方法を示す図。
【図１７】本開示の様々な態様による、ｅＭＴＣのためのシステム情報のための方法を示す図。
【図１８】本開示の様々な態様による、ｅＭＴＣのためのシステム情報のための方法を示す図。
【発明を実施するための形態】
【００３７】
[0045]いくつかのワイヤレスシステムは、デバイスが人の介入なしに互いにまたは基地局と通信することを可能にするデータ通信技術をサポートする。そのような通信は、マシンタイプ通信（ＭＴＣ）と呼ばれることがある。いくつかの場合には、システムは、ＭＴＣデバイスに合わせて調整された技法または特徴を使用することによって、ＭＴＣをサポートし得る。ＭＴＣを改善する目的で採用される技法または特徴は、拡張ＭＴＣ（ｅＭＴＣ）と呼ばれることがある。ｅＭＴＣをサポートするために、システムは、他のユーザ機器（ＵＥ）とは異なり得る、ＭＴＣデバイスの動作特性を考慮するように構成され得る。これは、様々な繰返しレベル、トランスポートブロックサイズなどを使用して、あるＭＴＣ固有システム情報をブロードキャストすることを含み得る。
【００３８】
[0046]ＭＴＣデバイスまたはＭＴＣ  ＵＥは、他のＵＥに対して、低複雑度、低コストデバイスであり得、低電力動作、限られた複信能力、および不十分な無線リンク状態をもつ環境における動作などの特徴によって特徴づけられ得る。さらに、いくつかのＭＴＣ  ＵＥは、他のＵＥによって使用される帯域幅と比較して、または利用可能な総システム帯域幅と比較して、狭帯域幅を使用して動作するように構成される。ｅＭＴＣをサポートするシステムは、これらのＭＴＣ  ＵＥ特性を念頭に置いて構成され得る。特に、いくつかの例では、および以下で説明されるように、システムは、より大きいシステム帯域幅内の狭帯域動作をサポートすることによってｅＭＴＣをサポートし得る。
【００３９】
[0047]いくつかの場合には、システムはブロードキャストし得、ＭＴＣデバイスは、ＭＴＣに合わせて調整されたシステム情報ブロック（ＳＩＢ）を含む、ＭＴＣ固有システム情報を利用し得る。以下で説明されるように、様々なＳＩＢは、システム内のＵＥ動作のために必要または有用であり得る異なる情報を伝達する。たとえば、システムは、ある必要なシステム情報を含み得る、ＳＩＢ１と呼ばれるＳＩＢをブロードキャストし得る。ｅＭＴＣを採用するシステムは、ＭＴＣ動作のために必要または有用なシステム情報を伝達し得る、ＭＴＣ固有ＳＩＢをブロードキャストし得る。いくつかの場合には、システムは、ＳＩＢ１（ＭＴＣ  ＳＩＢ１）のＭＴＣ固有バージョンをブロードキャストする。
【００４０】
[0048]ＭＴＣ  ＳＩＢ１のコンテンツは、ＭＴＣ  ＵＥがセルアクセスプロシージャを評価するのを支援し得、ＭＴＣ  ＳＩＢ１以外のＭＴＣ  ＳＩＢのための他のシステム情報のスケジューリングを定義し得る。ＭＴＣ  ＳＩＢ１のためのスケジューリングパラメータは、別個のブロードキャストメッセージ中の（たとえば、マスタ情報ブロック（ＭＩＢ）中の）識別子に基づいて、ＭＴＣ  ＵＥによって決定され得る。ＭＴＣ  ＵＥは、ブロードキャストメッセージを読み取り、識別子を解釈し、ＳＩＢ１スケジューリングパラメータを確認し得る。スケジューリングパラメータは、ＳＩＢ繰返しレベル、トランスポートブロックサイズ（ＴＢＳ）、サブフレームインデックス、または割り振られたリソースブロック（ＲＢ）の数を含み得る。スケジューリングパラメータは、複信構成、帯域幅、または周波数ホッピング構成に依存し得る。いくつかの場合には、繰返しレベルは、ＴＢＳまたはホッピング構成に基づいて変化し得る。さらに、ブロードキャストメッセージ中に含まれている識別子のＭＴＣ  ＵＥの解釈は、複信構成または帯域幅、あるいはその両方に依存し得る。
【００４１】
[0049]以下で説明されるように、識別子は、ＭＩＢ中のマルチビットフィールドであり得る。この識別子は、ＳＩＢ１のためのスケジューリングパラメータを決定するために使用され得る。いくつかの場合には、周波数ホッピング構成も、ＭＩＢ中の追加のビットを用いてシグナリングされ得る。したがって、繰返しスケジュールは、ホッピング構成に応じて変化し得る。マルチビット識別子はまた、ＴＢＳと、ホッピング構成と、サブフレームインデックスと、繰返しレベルと、リソースの数とに対応し得る。他の場合には、同じＴＢＳがシグナリングされ得るが、繰返しレベルは変化し得る。
【００４２】
[0050]いくつかの場合には、ＳＩＢ１の特定の事例は、それがスケジュールされたブロードキャストチャネル送信と重複するようにスケジュールされ得る。すなわち、狭帯域動作のリソース制約により、ＳＩＢ１の予期された送信と別の予期されたブロードキャスト送信とは互いに衝突し得る。たとえば、予期されたＳＩＢ１送信は、３ＭＨｚ帯域内で、物理ブロードキャストチャネル（ＰＢＣＨ）、プライマリ同期信号（ＰＳＳ）、セカンダリ同期信号（ＳＳＳ）などと重複（たとえば、衝突）し得る。そのような場合、衝突は、たとえば、ブロードキャスト送信によって占有されないリソースにＳＩＢ１をマッピングすることによって、予期されたＳＩＢ１送信を調整することによって回避され得る。
【００４３】
[0051]例として、同じサブフレーム中にＰＢＣＨを含んでいる物理リソースブロック（ＰＲＢ）に、または同じサブフレーム中にＰＢＣＨを含んでいるサブキャリアにＳＩＢ１をマッピングすることは好適でないことがある。他の例では、ＳＩＢ１は、同じサブフレーム中にＰＢＣＨを含んでいるサブキャリアにマッピングされ得るが、ＳＩＢ１は、ＰＢＣＨ、ＰＳＳ、またはＳＳＳを含んでいるもの以外のリソース要素（ＲＥ）にマッピングされ得る。いくつかの場合には、利用可能なリソースへのマッピングをサポートするために、レートマッチングまたはパンクチャリングを適用することが適切であり得る。他の例では、ＰＢＣＨ（またはそれの繰返し）を潜在的に含み得る任意のＲＥにＳＩＢ１をマッピングすることは好適でないことがある。たとえば、繰返しがオフであるときでも、ＰＢＣＨ繰返しのためにＲＥにＳＩＢ１をマッピングすることは好適でないことがある。他の場合には、ＭＴＣデバイスは、４アンテナポートのためのセル固有基準信号（ＣＲＳ）を使用するための構成を確立することも確立しないこともある。
【００４４】
[0052]本開示の態様が、ワイヤレス通信システムのコンテキストにおいて以下で説明される。特定の例が、次いで、ブロードキャスト信号のシステム構成とロケーションとに基づいて、ＳＩＢ１スケジューリングリソースとパラメータとを決定することについて説明される。本開示のこれらおよび他の態様は、さらに、ｅＭＴＣのためのシステム情報に関係する装置図、システム図、およびフローチャートによって示され、それらを参照しながら説明される。
【００４５】
[0053]図１は、本開示の様々な態様による、ｅＭＴＣのためのシステム情報をサポートするワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。ワイヤレス通信システム１００は、システムプロパティとブロードキャスト信号のロケーションとに基づいて、ＭＴＣデバイスのためのシステム情報の通信をサポートし得る。
【００４６】
[0054]基地局１０５は、１つまたは複数の基地局アンテナを介して、ＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。様々なＵＥ１１５の各々は、ＭＴＣデバイス、セルラーフォン、ワイヤレスモデム、ハンドヘルドデバイス、パーソナルコンピュータ、タブレット、パーソナル電子デバイスなどであり得る。
【００４７】
[0055]基地局１０５は、コアネットワーク１３０および互いと通信し得る。たとえば、基地局１０５は、バックホールリンク１３２（たとえば、Ｓ１など）を通して、コアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００４８】
[0056]上述のように、ＭＴＣデバイスまたはＭＴＣ  ＵＥ１１５は、マシンツーマシン（Ｍ２Ｍ）通信、ＭＴＣ、ｅＭＴＣなどと呼ばれる通信を実装するものを含み得る、自動通信を与え得る。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。ＭＴＣデバイスのための適用例の例としては、スマートメータリング、インベントリモニタ、水位モニタ、機器モニタ、ヘルスケアモニタ、野生生物モニタ、天候および地質学的事象モニタ、フリート管理およびトラッキング、リモートセキュリティ検知、物理的アクセス制御、トランザクションベースのビジネスの課金、ならびに装着可能なデバイスがある。いくつかの場合には、ＭＴＣ  ＵＥ１１５のためのシステム情報のスケジューリングは、システム内の他のＵＥ１１５のためのシステム情報とは異なり得る。ＭＴＣ固有ＳＩＢ１のための繰返しレベル、トランスポートブロックサイズ（ＴＢＳ）、サブフレームインデックスなどは、他のＵＥ１１５を対象とするＳＩＢ１とは異なり得る。このＭＴＣ固有システム情報は、ＭＴＣ固有特性を考慮し得る。たとえば、ＭＴＣ  ＵＥ１１５は、低減されたピークレートにおいて半二重（一方向）通信を使用して動作し得る。ＭＴＣ  ＵＥ１１５はまた、アクティブ通信に参加していないとき、電力節約「ディープスリープ」モードに入るように構成され得る。ＭＴＣ  ＵＥ１１５はまた、より大きいシステム帯域幅の狭帯域領域中で動作し得る。
【００４９】
[0057]システム１００のいくつかの例を含む、ＬＴＥシステムは、ＤＬ上ではＯＦＤＭＡを利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ個）の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅に対して、１５キロヘルツ（ＫＨｚ）のサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。ＭＴＣ  ＵＥ１１５によって使用される狭帯域領域は、全体的システム帯域幅の一部分であり得る。
【００５０】
[0058]フレーム構造は、ワイヤレス通信システム１００の時間リソースを編成するために使用され得る。フレームは、１０ｍｓ間隔であり得、それは、１０個の等しいサイズのサブフレームにさらに分割され得る。各サブフレームは、２つの連続するタイムスロットを含み得る。各スロットは、６つまたは７つのＯＦＤＭＡシンボル期間を含み得る。リソース要素は、１つのシンボル期間と１つのサブキャリア（１５ＫＨｚ周波数範囲）とからなる。リソースブロックは、周波数領域中に１２個の連続するサブキャリアを含んでおり、各ＯＦＤＭシンボル中のノーマルサイクリックプレフィックスについて、時間領域（１つのスロット）中に７つの連続するＯＦＤＭシンボルを含んでおり、すなわち８４個のリソース要素を含んでいることがある。いくつかのリソース要素は、ＤＬ基準信号（ＤＬ−ＲＳ）を含み得る。ＤＬ−ＲＳは、ＣＲＳと、復調基準信号（ＤＭ−ＲＳ）と呼ばれることもあるＵＥ固有ＲＳ（ＵＥ−ＲＳ）とを含み得る。ＵＥ−ＲＳは、ＰＤＳＣＨに関連するリソースブロック上で送信され得る。（ＣＲＳおよびＵＥ−ＲＳの追加の詳細が以下で説明される。）各リソース要素によって搬送されるビット数は、変調スキーム（各シンボル期間中に選択され得るシンボルの構成）に依存し得る。したがって、ＵＥが受信するリソースブロックが多いほど、また変調スキームが高いほど、データレートは高くなり得る。
【００５１】
[0059]いくつかの場合には、時間間隔は、基本時間単位（たとえば、ＬＴＥにおけるサンプリング期間、Ｔｓ＝１／３０，７２０，０００秒）の倍数単位で表され得る。フレームは、１０ｍｓ（Ｔｆ＝３０７２００・Ｔｓ）の長さを有し得、０から１０２３にわたるＳＦＮによって識別され得る。各フレームは、０から９までの番号を付けられた（たとえば、インデックス付けされた）１０個の１ｍｓサブフレームを含み得る。サブフレームは、さらに２つの０．５ｍｓスロットに分割され得、その各々は、各シンボルにプリペンドされたサイクリックプレフィックスの長さに応じて、数シンボル期間を含んでいる。サイクリックプレフィックスを除いて、各シンボルは２０４８個のサンプル期間を含んでいる。いくつかの場合には、サブフレームは、送信時間間隔（ＴＴＩ）としても知られる、最も小さいスケジューリング単位であり得る。他の場合には、ＴＴＩは、サブフレームよりも短いことがあるか、または（たとえば、短いＴＴＩバーストにおいて、または短いＴＴＩを使用する選択されたコンポーネントキャリアにおいて）動的に選択され得る。
【００５２】
[0060]上記で説明するリソース構造に従って送信され得るデータは、論理チャネル、トランスポートチャネル、および物理レイヤチャネルに分割され得る。チャネルはまた、制御チャネルとトラフィックチャネルとに分類され得る。論理制御チャネルは、ページング情報のためのページング制御チャネル（ＰＣＣＨ）と、ブロードキャストシステム制御情報のためのブロードキャスト制御チャネル（ＢＣＣＨ）と、マルチメディアブロードキャストマルチキャストサービス（ＭＢＭＳ）スケジューリングおよび制御情報を送信するためのマルチキャスト制御チャネル（ＭＣＣＨ）と、専用制御情報を送信するための専用制御チャネル（ＤＣＣＨ）と、ランダムアクセス情報のための共通制御チャネル（ＣＣＣＨ）と、専用ＵＥデータのためのＤＴＣＨと、マルチキャストデータのためのマルチキャストトラフィックチャネル（ＭＴＣＨ）とを含み得る。ＤＬトランスポートチャネルは、ブロードキャスト情報のためのブロードキャストチャネル（ＢＣＨ）と、データ転送のためのダウンリンク共有チャネル（ＤＬ−ＳＣＨ）と、ページング情報のためのページングチャネル（ＰＣＨ）と、マルチキャスト送信のためのマルチキャストチャネル（ＭＣＨ）とを含み得る。アップリンク（ＵＬ）トランスポートチャネルは、アクセスのためのＲＡＣＨと、データのためのアップリンク共有チャネル（ＵＬ−ＳＣＨ）とを含み得る。ＤＬ物理チャネルは、ブロードキャスト情報のためのＰＢＣＨと、制御フォーマット情報のための物理制御フォーマットインジケータチャネル（ＰＣＦＩＣＨ）と、制御およびスケジューリング情報のための物理ダウンリンク制御チャネル（ＰＤＣＣＨ）と、ハイブリッド自動再送要求（ＨＡＲＱ）ステータスメッセージのためのＰＨＩＣＨと、ユーザデータのための物理ダウンリンク共有チャネル（ＰＤＳＣＨ）と、マルチキャストデータのための物理マルチキャストチャネル（ＰＭＣＨ）とを含み得る。ＵＬ物理チャネルは、アクセスメッセージのための物理ランダムアクセスチャネル（ＰＲＡＣＨ）と、制御データのためのＰＵＣＣＨと、ユーザデータのためのＰＵＳＣＨとを含み得る。
【００５３】
[0061]通信リンク１２５によって示され得るシステム１００のキャリアは、周波数分割複信（ＦＤＤ）動作を使用して（たとえば、対スペクトルリソースを使用して）またはＴＤＤ動作を使用して（たとえば、不対スペクトルリソースを使用して）双方向通信を送信し得る。ＦＤＤのためのフレーム構造（たとえば、フレーム構造タイプ１）とＴＤＤのためのフレーム構造（たとえば、フレーム構造タイプ２）とが定義され得る。ＴＤＤフレーム構造の場合、各サブフレームはＵＬトラフィックまたはＤＬトラフィックを搬送し得、スペシャルサブフレームは、ＤＬ送信とＵＬ送信との間で切り替えるために使用され得る。無線フレーム内でのＵＬサブフレームおよびＤＬサブフレームの割振りは、対称または非対称であり得、静的に決定され得るか、または半静的に再構成され得る。特殊サブフレームは、ＤＬトラフィックまたはＵＬトラフィックを搬送し得、ＤＬトラフィックとＵＬトラフィックとの間にガード期間（ＧＰ）を含み得る。ＵＬトラフィックからＤＬトラフィックへの切替えは、特殊サブフレームまたはガード期間を使用せずに、ＵＥ１１５においてタイミングアドバンスを設定することによって達成され得る。フレーム期間（たとえば、１０ｍｓ）またはフレーム期間の１／２（たとえば、５ｍｓ）に等しい切替えポイント周期性をもつＵＬ−ＤＬ構成もサポートされ得る。たとえば、ＴＤＤフレームは１つまたは複数のスペシャルフレームを含み得、スペシャルフレーム間の期間がフレームのためのＴＤＤ  ＤＬＵＬ間切替えポイント周期性を決定し得る。
【００５４】
[0062]ＴＤＤの使用は、対ＵＬ−ＤＬスペクトルリソースを必要としないフレキシブルな展開を提供し得る。いくつかのＴＤＤネットワーク展開では、ＵＬ通信とＤＬ通信との間で干渉（たとえば、異なる基地局からのＵＬ通信とＤＬ通信との間の干渉、基地局およびＵＥからのＵＬ通信とＤＬ通信との間の干渉など）が引き起こされ得る。たとえば、異なるＴＤＤ  ＵＬ−ＤＬ構成に従って重複するカバレージエリア内で異なる基地局１０５が異なるＵＥ１１５をサービスする場合、サービング基地局１０５からのＤＬ送信を受信および復号することを試みるＵＥ１１５は、他の近接して位置するＵＥ１１５からのＵＬ送信からの干渉を受けることがある。いくつかの例では、システム１００は、ＴＤＤ構成またはＦＤＤ構成のいずれかあるいは両方を利用し得る。ＳＩＢ１のためのスケジューリングパラメータは、通信複信構成（ＦＤＤまたはＴＤＤ）に依存し得る。
【００５５】
[0063]ワイヤレスネットワークにアクセスすることを試みる、ＭＴＣ  ＵＥ１１５を含むＵＥ１１５は、基地局１０５からのプライマリ同期信号（ＰＳＳ）を検出することによって、初期セル探索を実行し得る。ＰＳＳは、スロットタイミングの同期を可能にし得、物理レイヤ識別情報値を示し得る。次いで、ＵＥ１１５は、セカンダリ同期信号（ＳＳＳ）を受信し得る。ＳＳＳは、無線フレーム同期を可能にし得、セルを識別するための物理レイヤ識別情報値と組み合わせられ得る、セル識別情報値を与え得る。ＳＳＳはまた、複信モードおよびサイクリックプレフィックス長の検出を可能にし得る。ＴＤＤ構成において動作するシステム１００のいくつかの例を含むいくつかのシステムは、ＰＳＳでなくＳＳＳを送信し得る。ＰＳＳとＳＳＳの両方が、それぞれ、キャリアの中心の６２個と７２個のサブキャリア中にあり得る。ＰＳＳとＳＳＳとを受信した後に、ＵＥ１１５は、物理ＰＢＣＨ中で送信され得る、マスタ情報ブロック（ＭＩＢ）を受信し得る。ＭＩＢは、システム帯域幅情報と、システムフレーム番号（ＳＦＮ）と、ＰＨＩＣＨ構成とを含んでいることがある。ＭＩＢを復号した後に、ＵＥ１１５は、１つまたは複数のＳＩＢを受信し得る。たとえば、ＳＩＢ１は、セルアクセスパラメータと他のＳＩＢのためのスケジューリング情報とを含んでいることがある。ＳＩＢ１を復号することは、ＵＥ１１５がＳＩＢ２を受信することを可能にし得る。ＳＩＢ２は、ＲＡＣＨプロシージャと、ページングと、ＰＵＣＣＨと、ＰＵＳＣＨと、電力制御と、ＳＲＳと、セル禁止とに関係する無線リソース制御（ＲＲＣ）構成情報を含んでいることがある。いくつかの場合には、ＭＩＢは、ＭＴＣ固有ＳＩＢのためのスケジューリングパラメータを識別するために、ＭＴＣ  ＵＥ１１５によって使用可能であるビットフィールドを含み得る。
【００５６】
[0064]初期セル同期を完了した後に、ＵＥ１１５は、ネットワークにアクセスするより前にＭＩＢと、ＳＩＢ１と、ＳＩＢ２とを復号し得る。上述のように、ＭＩＢはＰＢＣＨ上で送信され得、それは、各無線フレームの第１のサブフレームの第２のスロットの最初の４つのＯＦＤＭシンボルを利用し得る。いくつかの場合には、ＰＢＣＨは、他のリソース（たとえば、同じサブフレーム、または異なるサブフレーム中の他のリソース要素）中で繰り返され得る。それは、周波数領域中の中間の６つのリソースブロック（ＲＢ）（７２個のサブキャリア）を使用し得、これは、以下で説明されるように、狭帯域領域中で動作するＭＴＣ  ＵＥ１１５のためのＳＩＢマッピングに関係するいくつかの制約を導入し得る。しかし、ＭＩＢが、ＲＢに関するダウンリンク（ＤＬ）チャネル帯域幅と、ＰＨＩＣＨ構成（持続時間およびリソース割当て）と、ＳＦＮとを含む、ＵＥ初期アクセスのための数個の重要な情報を搬送するので、システム１００は、ＳＩＢとＭＩＢとの間の衝突を回避しようとし得る。新しいＭＩＢは、第４の無線フレーム（ＳＦＮ  ｍｏｄ４＝０）ごとにブロードキャストされ、フレーム（１０ｍｓ）ごとに再ブロードキャストされ得る。各繰返しは、異なるスクランブリングコードを用いてスクランブルされる。ＭＩＢ（新しいバージョンまたはコピーのいずれか）を読み取った後に、ＵＥ１１５は、それが、成功した巡回冗長検査（ＣＲＣ）検査を得るまで、スクランブリングコードの異なる位相を試みることができ得る。スクランブリングコード（０、１、２または３）の位相は、ＵＥ１１５が、４つの繰返しのうちのいずれが受信されたかを識別することを可能にし得る。したがって、ＵＥ１１５は、復号された送信中のＳＦＮを読み取り、スクランブリングコード位相を加算することによって、現在のＳＦＮを決定し得る。
【００５７】
[0065]ＭＩＢを受信した後に、ＵＥは１つまたは複数のＳＩＢを受信し得る。異なるＳＩＢが、搬送されるシステム情報のタイプに従って定義され得る。新しいＳＩＢ１は、第８のフレーム（ＳＦＮ  ｍｏｄ８＝０）ごとの第５のサブフレーム中で送信され、１つおきのフレーム（２０ｍｓ）ごとに再ブロードキャストされ得る。ＳＩＢ１は、セル識別情報を含む、アクセス情報を含み、それは、ＵＥが基地局のセル１０５にキャンプオンすることが可能にされるかどうかを示し得る。ＳＩＢ１はセル選択情報（または、セル選択パラメータ）をも含む。さらに、ＳＩＢ１は、他のＳＩＢのためのスケジューリング情報を含む。ＳＩＢ２は、ＳＩＢ１中の情報に従って動的にスケジュールされ得、共通および共有チャネルに関係するアクセス情報およびパラメータを含む。ＳＩＢ２の周期性は、動的であり得る（たとえば、それは、８、１６、３２、６４、１２８、２５６または５１２個の無線フレームに設定され得る）。さらに、ＭＴＣ  ＳＩＢ１を含む、ＭＴＣ固有ＳＩＢは、様々なシステム構成に基づいて、異なる繰返しレベルに従って送信され得る。
【００５８】
[0066]同期情報とＭＩＢとを受信した後に、ＵＥ１１５は、１つまたは複数のＳＩＢを受信し得る。異なるＳＩＢが、搬送されるシステム情報のタイプに従って定義され得る。ＳＩＢ１は、セル識別情報などのアクセス情報を含み、また、ＵＥ１１５がセルにキャンプオンすることが可能にされるかどうかを示し得る。ＳＩＢ１はセル選択情報（または、セル選択パラメータ）をも含む。さらに、ＳＩＢ１は、他のＳＩＢのためのスケジューリング情報を含む。ＳＩＢ２は、共通チャネルおよび共有チャネルに関係するアクセス情報とパラメータとを含む。ＳＩＢ３はセル再選択パラメータを含む。ＳＩＢ４およびＳＩＢ５は、ネイバリングロングタームエボリューション（ＬＴＥ）セルに関する再選択情報を含む。ＳＩＢ６〜ＳＩＢ８は、非ＬＴＥ（たとえば、ユニバーサルモバイルテレコミュニケーションズシステム（ＵＭＴＳ：Universal Mobile Telecommunications System）、ＧＥＲＡＮ、および符号分割多元接続（ＣＤＭＡ））ネイバリングセル）に関する再選択情報を含む。ＳＩＢ９は、ホーム発展型ノードＢ（ｅＮＢ）の名前を含む。ＳＩＢ１０〜ＳＩＢ１２は緊急事態通知情報（たとえば、津波および地震警報）を含む。また、ＳＩＢ１３は、ＭＢＭＳ構成に関係する情報を含む。いくつかの場合には、ＳＩＢは、ＰＳＳまたはＳＳＳと重複するようにスケジュールされ得、代わりに、ＳＩＢは、ＴＴＩ内の利用可能であると識別されたリソースにマッピングされ得る。ＭＴＣ固有ＳＩＢは、上記で識別されたＳＩＢ中で伝達される情報の様々な組合せを含み得、ＭＴＣ固有ＳＩＢのコンテンツは、ＭＴＣ動作に調整され得る。
【００５９】
[0067]いくつかの場合には、ワイヤレス通信システム１００は、セルエッジに位置するか、低電力トランシーバを用いて動作するか、あるいは高干渉または経路損失を経験するＭＴＣ  ＵＥ１１５を含むＵＥ１１５のための通信リンク１２５の品質を改善するために、カバレージ拡張（ＣＥ）技法を利用し得る。ＣＥ技法は、反復送信、ＴＴＩバンドリング、ＨＡＲＱ再送信、ＰＵＳＣＨホッピング、ビームフォーミング、電力ブースティング、または他の技法を含み得る。使用されるＣＥ技法は、異なる状況におけるＵＥ１１５の固有のニーズに依存し得る。たとえば、ＴＴＩバンドリングは、冗長性バージョンを再送信する前に否定応答（ＮＡＣＫ）を待つのではなく、連続ＴＴＩのグループ中に同じ情報の複数のコピーを送ることを伴い得る。これは、ボイスオーバーロングタームエボリューション（ＶｏＬＴＥ）またはＶｏＩＰ通信に関与するユーザのために、ならびにカバレージ制限で動作するＭＴＣ  ＵＥ１１５のために有効であり得る。他の場合には、ＨＡＲＱ再送信の数も増加され得る。アップリンクデータ送信が、周波数ダイバーシティを達成するために、周波数ホッピングを使用して送信され得る。ビームフォーミングが、特定の方向において信号の強度を増加させるために使用され得、または送信電力が単に増加され得る。いくつかの場合には、１つまたは複数のＣＥオプションが組み合わせられ得、本技法が信号を改善することが予想されるデシベル数に基づいて、ＣＥレベルが定義され得る（たとえば、ＣＥなし、５ｄＢ  ＣＥ、１０ｄＢ  ＣＥ、１５ｄＢ  ＣＥなど）。いくつかの場合には、ＳＩＢ１のためのスケジューリングパラメータは、周波数ホッピング構成に依存し得る。この構成は、たとえば、ＭＩＢ内に含まれているビットフィールド中で明示的にシグナリングされ得る。
【００６０】
[0068]基地局１０５は、ＵＥ１１５のチャネル推定およびコヒーレント復調を助けるために、ＣＲＳなど、周期パイロットシンボルを挿入し得る。ＣＲＳは、５０４個の異なるセル識別情報のうちの１つを含み得る。それらは、それらを雑音および干渉に対して耐性があるようにするために、４位相偏移変調（ＱＰＳＫ）とブーストされた（たとえば、周囲のデータ要素よりも高い６ｄＢにおいて送信された）電力とを使用して変調され得る。ＣＲＳは、受信ＵＥ１１５のアンテナポートまたはレイヤの数（最高４つ）に基づいて各リソースブロック中の４〜１６個のリソース要素中に埋め込まれ得る。基地局１０５の地理的カバレージエリア１１０中のすべてのＵＥ１１５によって利用され得るＣＲＳに加えて、ＵＥ−ＲＳ（またはＤＭＲＳ）は、特定のＵＥ１１５を対象とし得、それらのＵＥ１１５に割り当てられたリソースブロック上でのみ送信され得る。いくつかの場合には、ＵＥは、ＣＲＳ送信のために利用可能であるＴＴＩのリソース要素のためのＳＩＢをモニタすることを控え得る。
【００６１】
[0069]本開示で説明されるように、（ＭＴＣ  ＵＥ１１５などの）ＵＥ１１５は、通信リンクの帯域幅または複信構成に基づいて、ＳＩＢのための１つまたは複数のスケジューリングパラメータを決定し得る。スケジューリングパラメータは、ブロードキャスト通信（たとえば、ＭＩＢ）におけるシグナリング、または周波数ホッピング構成に依存し得る。いくつかの場合には、ブロードキャストチャネルが、システム帯域幅の狭帯域領域内でＴＴＩ中にスケジュールされ得る。ＴＴＩ内の利用可能なリソースが識別され得、ＳＩＢは、ブロードキャスト情報のロケーションに基づいて、狭帯域領域内の利用可能なリソースにマッピングされ得る。
【００６２】
[0070]図２は、本開示の様々な態様による、ｅＭＴＣのためのシステム情報のためのワイヤレス通信システム２００の一例を示す。ワイヤレス通信システム２００は、図１を参照しながら説明されたＵＥ１１５および基地局１０５の例であり得る、ＵＥ１１５−ａと基地局１０５−ａとを含み得る。いくつかの場合には、ＵＥ１１５−ａはＭＴＣデバイスであり、基地局１０５−ａによってブロードキャストされたシステムプロパティに基づいて、ＳＩＢ１スケジューリングパラメータを決定し得る。ＵＥ１１５−ａはまた、基地局１０５−ａからのブロードキャスト信号のロケーションに基づいて、ＳＩＢ１送信のために利用可能なリソースを決定し得る。
【００６３】
[0071]ワイヤレス通信システム２００は、低コストおよび低複雑度デバイスの動作を可能にするためにＭＴＣ動作をサポートし得る。たとえば、ＬＴＥシステムのコンテキストでは、そのような低コストＵＥまたはＭＴＣ  ＵＥ１１５は、低減されたピークデータレート（たとえば、トランスポートブロックサイズのための１０００ビットの可能な最大値）、ランク１送信、１つの受信アンテナ、および半二重である場合、たとえば、標準ＵＥのための２０μｓからＭＴＣ  ＵＥのための１ｍｓに緩和された（送信から受信への、またはその逆の）切替えタイミングによって特徴づけられ得る、カテゴリー０ＵＥと呼ばれることがある。これらのＭＴＣ  ＵＥ１１５は、他のＵＥ１１５と同様の様式で、ＰＤＣＣＨ）と拡張ＰＤＣＣＨ（ｅＰＤＣＣＨ））とを含む、ＤＬ制御チャネルをモニタし得る。
【００６４】
[0072]（ｅＭＴＣと呼ばれる）追加のＭＴＣ拡張が同様にサポートされ得る。たとえば、狭帯域動作は、ＭＴＣ  ＵＥ１１５−ａがより広いシステム帯域幅で動作することが可能であり得るようにサポートされ得る。システム２００は、上記で説明されたように、１．４ＭＨｚまたは６つのＲＢを介して複数のシステム帯域幅範囲（たとえば、１．４／３／５／１０／１５／２０ＭＨｚ）での動作をサポートし得る。さらに、システム２００は、１５ｄＢまでのカバレージ拡張をサポートし得る。
【００６５】
[0073]システム２００は、ＵＥ１１５−ａのセルアクセスを支援し、他のシステム情報、たとえば、ＭＴＣ  ＳＩＢ１以外のＭＴＣ  ＳＩＢのスケジューリングを定義し得る、コンテンツとともにＭＴＣ  ＳＩＢ１を送信（たとえば、ＰＤＳＣＨ上でブロードキャスト）し得る。いくつかの場合には、ＭＴＣ  ＳＩＢ送信のために使用されるリソースブロックの数は、６つの物理ＰＲＢに固定され得る。ＭＴＣ  ＳＩＢ１のトランスポートブロックサイズ（ＴＢＳ）は、システム２００の構成に基づき得、ＭＩＢ示され得る。ＭＴＣ  ＳＩＢ１の周波数ロケーションは、たとえば、物理セル識別情報（ＰＣＩＤ）から導出され得、それはＭＩＢ中で与えられ得る。さらに、ＭＴＣ  ＳＩＢ１のための（たとえば、ＭＩＢ中で示されている）時間ロケーションは、ＦＤＤの場合｛０、４、５、９｝およびＴＤＤの場合｛０、１、５、６｝をインデックス付けされたサブフレーム（ＳＦ）を含み得る。いくつかの場合には、時間ロケーションは、サブフレームおよびフレームがＭＩＢ中でシグナリングされるのか仕様において固定であり得るのかに依存し得る。ＭＴＣ  ＳＩＢ１以外のＭＴＣ  ＳＩＢのためのスケジューリング情報は、ＭＴＣ  ＳＩＢ１中で与えられ得る。ＭＴＣ  ＳＩＢ１以外のＭＴＣ  ＳＩＢのための繰返しの数は、ネットワークによって構成可能であり得る。代替的に、（いくつかの場合には、システム２００を含む）いくつかのワイヤレスシステムは、ワイヤレスネットワークを介してＭＴＣ  ＳＩＢ１のための繰返しの数をシグナリングするための構成を確立し得る。
【００６６】
[0074]ＳＩＢ１のためのスケジューリングパラメータは、ＵＥ１１５−ａによって決定され得る。識別子が、たとえば、ＭＩＢ中で基地局１０５−ａによって送られるブロードキャストメッセージ中に含まれていることがある。ＳＩＢ１スケジューリングパラメータは、次いで、識別子に基づいて決定され得る。スケジューリングパラメータは、ＳＩＢ１繰返しレベル、ＴＢ）、またはサブフレームインデックスを含み得る。スケジューリングパラメータは、通信複信構成、帯域幅、または周波数ホッピング構成などに依存し得る。
【００６７】
[0075]識別子は、ＵＥ１１５−ａがＳＩＢ１のためのスケジューリングパラメータを決定するために使用し得る、マルチビットフィールドを含んでいることがある。例として、後続の表は、ＭＩＢ中で与えられ得る可能なマルチビットフィールド識別子を示す。たとえば、表１は、識別子が、スケジューリングパラメータを決定するためにどのように使用され得るか、ならびにそれらのパラメータが複信構成および帯域幅にどのように依存し得るかを示す。
【００６８】
【表１】
2018518114.tif 000003
【００６９】
[0076]他の場合には、ホッピング構成は、表２に示されているように、ＭＩＢ中の余分のビットを用いて（たとえば、合計３ビットを用いて）シグナリングされ得る。
【００７０】
【表２】
2018518114.tif 000004
【００７１】
[0077]繰返しスケジュールは、ホッピング構成に応じて変化し得る。マルチビット識別子はまた、ＴＢＳと、ホッピング構成と、サブフレームインデックスと、繰返しレベルと、リソースの数とに対応し得る。
【００７２】
【表３】
2018518114.tif 000005
【００７３】
[0078]他の場合には、表４に見られるように、同じＴＢＳがシグナリングされ得るが、繰返しレベルは変化し得る。
【００７４】
【表４】
2018518114.tif 000006
【００７５】
[0079]いくつかの場合には、ＳＩＢ１の予期された送信は、別の予期されたブロードキャスト信号と重複し得る。これは、システム２００の狭帯域動作に起因し得る。すなわち、ＵＥ１１５−ａは狭帯域ＭＴＣデバイスであり得る。ある重要なブロードキャスト情報が、狭帯域領域内のリソースに制限され得る。したがって、ＳＩＢ１など、他の送信のための追加のリソースは乏しいことがある。たとえば、予期されたＳＩＢ１送信は、システム２００がＵＥ１１５−ａと通信するために３ＭＨｚ帯域幅を用いて動作するとき、いくつかのサブフレーム中でＰＢＣＨ、ＰＳＳ、またはＳＳＳと重複し（たとえば、それと衝突することが予想され）得る。衝突を回避するために、ＳＩＢ１は、ＰＢＣＨ、ＰＳＳ、またはＳＳＳによって占有されていない狭帯域内のリソースにマッピングされ得る。
【００７６】
[0080]図３Ａ〜図３Ｄは、本開示の様々な態様による、ｅＭＴＣのためのシステム情報をサポートするスケジューリングスキーム３００−ａ、３００−ｂ、３００−ｃ、および３００−ｄの例を示す。スケジューリングスキーム３００−ａ、３００−ｂ、３００−ｃ、および３００−ｄは、本開示に従うスケジューリングを含み、上記で説明されたように、衝突を回避するためのリソースマッピングを示し得る。
【００７７】
[0081]リソース要素３０５は、個別シンボルの送信のための時間および周波数ユニットを表し得る。たとえば、リソース要素３０５は、１つのサブキャリア（たとえば、１５ｋＨｚサブキャリア）および１つのシンボル期間（たとえば、約１／１５ｋ秒）をカバーし得る。ＣＲＳ要素３１０は、図１で説明されたように、チャネル推定のための基準信号の送信のために使用され得る時間および周波数ユニットを表し得る。いくつかの場合には、使用されるＣＲＳ要素３１０の数は、通信のために使用されるアンテナポートの数（たとえば、図３Ａ〜図３Ｄに示されているように、４つのポート）に依存し得る。ＰＢＣＨ要素３１５は、ＰＢＣＨのために使用され得るパラメータの送信のための時間および周波数ユニットを表し得る。いくつかの場合には、ＰＢＣＨは、（たとえば、ＭＩＢの送信のために）セルの初期アクセスのために使用され得る。ＰＳＳまたはＳＳＳ要素３２０は、セル同期のために使用され得る情報の送信のための時間および周波数ユニットを表し得る。
【００７８】
[0082]スケジューリングスキーム３００−ａは、ＭＴＣ  ＳＩＢ１のスケジューリングが、ＴＴＩ内のＣＲＳ要素３１０−ａ、ＰＢＣＨ要素３１５−ａ、およびＰＳＳまたはＳＳＳ要素３２０−ａの存在に依存するかまたはそれに基づいて決定され得る一例である。たとえば、いくつかの場合には、ＭＴＣ  ＳＩＢ１のスケジューリングは、領域３２５−ａに基づき得る。図示のように、領域３２５−ａは、ＰＢＣＨ要素３１５−ａあるいはＰＳＳまたはＳＳＳ要素３２０−ａを含むＴＴＩ中の（ＭＴＣデバイスなどの）ＵＥ１１５によってモニタされるリソースブロックを含み得る。したがって、ＭＴＣ  ＳＩＢ１は、領域３２５−ａを除く（たとえば、それの外側の）リソースにマッピングされ得る。
【００７９】
[0083]スケジューリングスキーム３００−ｂは、ＭＴＣ  ＳＩＢ１のスケジューリングが、ＣＲＳ要素３１０−ｂ、ＰＢＣＨ要素３１５−ｂ、およびＰＳＳまたはＳＳＳ要素３２０−ｂの存在に依存し得る一例である。たとえば、いくつかの場合には、ＭＴＣ  ＳＩＢ１のスケジューリングは、領域３２５−ｂに基づき得る。図示のように、いくつかの例では、領域３２５−ｂは、ＰＢＣＨ要素３１５−ｂあるいはＰＳＳまたはＳＳＳ要素３２０−ｂを含むＴＴＩ中の（ＭＴＣデバイスなどの）ＵＥ１１５によってモニタされるサブキャリアを含み得る。したがって、ＭＴＣ  ＳＩＢ１は、領域３２５−ｂを除く（たとえば、それの外側の）リソースにマッピングされ得る。
【００８０】
[0084]スケジューリングスキーム３００−ｃは、ＭＴＣ  ＳＩＢ１のスケジューリングが、ＣＲＳ要素３１０−ｃ、ＰＢＣＨ要素３１５−ｃ、およびＰＳＳまたはＳＳＳ要素３２０−ｃの存在に依存し得る一例である。たとえば、いくつかの場合には、ＭＴＣ  ＳＩＢ１のスケジューリングは、領域３２５−ｃに基づき得る。いくつかの例に示されているように、領域３２５−ｃは、ＰＢＣＨ要素３１５−ｃあるいはＰＳＳまたはＳＳＳ要素３２０−ｃを含み得る。さらに、領域３２５−ｃは、現在使用中でないがＣＲＳ送信のために利用可能なＲＥを含むことも含まないこともある。したがって、ＭＴＣ  ＳＩＢ１は、領域３２５−ｃを除く（たとえば、それの外側の）リソースにマッピングされ得る。
【００８１】
[0085]スケジューリングスキーム３００−ｄは、ＭＴＣ  ＳＩＢ１のスケジューリングが、ＣＲＳ要素３１０−ｄ、ＰＢＣＨ要素３１５−ｄ、およびＰＳＳまたはＳＳＳ要素３２０−ｄの存在に依存し得る一例である。たとえば、いくつかの場合には、ＭＴＣ  ＳＩＢ１のスケジューリングは、領域３２５−ｄに基づき得る。いくつかの例に示されているように、領域３２５−ｄは、ＰＢＣＨ要素３１５−ｄ、あるいはＰＳＳまたはＳＳＳ要素３２０−ｄ、ならびにＰＢＣＨ繰返しリソース要素３３０−ｄを含み得る。ＰＢＣＨ繰返しリソース要素３３０−ｄは、ＰＢＣＨ繰返しのために利用可能なリソース要素であり得る。さらに、領域３２５−ｄは、現在使用中でないがＣＲＳ送信のために利用可能なＲＥを含むことも含まないこともある。したがって、ＭＴＣ  ＳＩＢ１は、領域３２５−ｄを除く（たとえば、それの外側の）リソースにマッピングされ得る。
【００８２】
[0086]図４は、本開示の様々な態様による、ｅＭＴＣのためのシステム情報をサポートするシステムにおけるプロセスフロー４００の一例を示す。プロセスフロー４００は、図１〜図２を参照しながら本明細書で説明されたＵＥ１１５および基地局１０５の例であり得る、ＵＥ１１５−ｂと基地局１０５−ｂとを含み得る。たとえば、ＵＥ１１５−ｂはＭＴＣデバイスであり得る。プロセスフロー４００は、基地局１０５−ｂとＵＥ１１５−ｂとの間のワイヤレス通信システムにおけるＳＩＢ協調およびプロビジョニングの態様を示し得る。説明されるワイヤレス通信の方法は、帯域幅または複信構成（たとえば周波数ホッピング構成）を決定することを含み得る。いくつかの例では、帯域幅および複信構成は、ブロードキャスト通信に基づいて決定され得、ブロードキャスト通信は、ＭＩＢ、ＰＳＳ、またはＳＳＳを含み得る。
【００８３】
[0087]したがって、４０５において、基地局１０５−ｂはＰＳＳまたはＳＳＳを送信し得、それはＵＥ１１５−ｂによって受信され得る。いくつかの場合には、ＵＥ１１５−ｂは、ＰＳＳまたはＳＳＳ、あるいはその両方に基づいて、システムプロパティの態様を決定し得る。たとえば、ＵＥ１１５−ｂは、ＳＳＳに基づいて、システムのための複信構成がＴＤＤであるのかＦＤＤであるのかを決定し得る。
【００８４】
[0088]４１０において、基地局１０５−ｂはＭＩＢを送信（たとえば、ＰＢＣＨ上でブロードキャスト）し得、それはＵＥ１１５−ｂによって受信され得る。すなわち、ＵＥ１１５−ｂは、ＳＩＢのためのスケジューリングパラメータならびにシステム帯域幅に関する情報を示す信号（たとえば、ビットフィールド）を含み得る、ＭＩＢを受信し得る。この決定は、システムの帯域幅または複信構成に基づき得る。いくつかの場合には、ブロードキャスト通信は、ＰＢＣＨ中で送信されるＭＩＢを含み得る。
【００８５】
[0089]ブロック４１５において、ＵＥ１１５−ｂは、システムの帯域幅または複信構成に基づいて、ＳＩＢのためのスケジューリングパラメータを決定し得る。いくつかの例では、ＳＩＢのためのスケジューリングパラメータは決定され、周波数ホッピング構成に基づき得る。他の例では、ＳＩＢのためのスケジューリングパラメータは、繰返しレベル、トランスポートブロックサイズ、サブフレームインデックス、割り当てられたリソースブロックの数などを含み得る。たとえば、ＵＥ１１５−ｂは、ＭＩＢ中のビットフィールドに基づいてスケジューリングパラメータを決定し、複信構成および帯域幅（すなわち、ＭＴＣ通信のために使用されるシステム帯域幅の部分）に基づいてビットフィールドを解釈し得る。いくつかの場合には、ＳＩＢはＭＴＣ  ＳＩＢ１であり得る。
【００８６】
[0090]４２０において、ＵＥ１１５−ｂは、スケジューリングパラメータに従ってＳＩＢ１を受信し得る。４２５において、ＵＥ１１５−ｂは、ＳＩＢ１中で受信された情報に従ってＳＩＢ２を受信し得る。
【００８７】
[0091]いくつかの例では、ＰＢＣＨなど、ブロードキャストチャネルが、ＳＩＢと同じＴＴＩ中に、およびブロードキャストチャネルによって占有されるシステム帯域幅の狭帯域領域内でスケジュールされる。そのような場合、基地局１０５−ｂは、ＴＴＩの利用可能なリソースを識別することに基づいて、狭帯域領域内のリソースにＳＩＢをマッピングし得る。たとえば、図３Ａ〜図３Ｄは、そのようなマッピングに従う可能なスケジューリングスキームを示す。いくつかの場合には、基地局１０５−ｂは、ブロードキャストチャネルを含むＴＴＩ内のリソースブロックにＳＩＢをマッピングすることを控え得る。いくつかの例では、ＳＩＢを受信するために利用可能なリソースは、ブロードキャストチャネルを除外するサブキャリアを含み得、基地局１０５−ｂは、ブロードキャストチャネルを除外するサブキャリア上にＴＴＩ内のＳＩＢをマッピングし得る。他の例では、ＳＩＢを受信するために利用可能なリソースは、狭帯域領域内のサブキャリアの利用可能な部分を含み、ここで、サブキャリアはブロードキャストチャネルを含み、利用可能な部分は、ブロードキャストチャネルを除外するリソース要素を含み、基地局１０５−ｂは、サブキャリアの利用可能な部分上にＴＴＩ内のＳＩＢをマッピングし得る。
【００８８】
[0092]ＵＥ１１５−ｂは、ＴＴＩ中にＳＩＢを受信するために利用可能なリソースを識別し得、利用可能なリソースを識別することに基づいて、狭帯域領域内でＳＩＢをモニタし得る。利用可能なリソースは、ブロードキャストチャネルを除外するＴＴＩのリソースブロックを含み得る。そのような例では、ＵＥ１１５−ｂは、ブロードキャストチャネルを除外するＴＴＩのリソースブロック上でＳＩＢをモニタし得る。
【００８９】
[0093]いくつかの例では、ＳＩＢを受信するために利用可能なリソースは、ブロードキャストチャネルを除外する狭帯域領域のサブキャリアを含む。そのような場合、ＵＥ１１５−ｂは、ブロードキャストチャネルを除外するサブキャリア上でＴＴＩ中にＳＩＢをモニタし得る。他の例では、ＳＩＢを受信するために利用可能なリソースは、狭帯域領域内のサブキャリアの利用可能な部分を含み、ＵＥ１１５−ｂは、サブキャリアの利用可能な部分上でＴＴＩ中にＳＩＢをモニタし得る。他の例では、ＵＥ１１５−ｂは、ブロードキャストチャネル繰返しのために利用可能なリソース要素の第１のセットを識別し、第１のセットのリソース要素を除外するリソース要素の第２のセット上でＴＴＩ中にＳＩＢをモニタし得る。
【００９０】
[0094]いくつかの場合には、ＳＩＢをモニタすることは、ＣＲＳ送信のために利用可能であり、ＣＲＳ送信を除外するＴＴＩのリソース要素上でモニタすることを含む。いくつかの場合には、ＵＥ１１５−ｂは、ＣＲＳ送信のために利用可能なリソース要素をモニタすることを控え得る。
【００９１】
[0095]４３０において、基地局１０５−ｂとＵＥ１１５−ｂとは、ＳＩＢ１およびＳＩＢ２中で受信された情報に基づいてワイヤレスネットワークを介した通信を可能にするために、ランダムアクセスチャネル（ＲＡＣＨ）リンクを確立し得る。
【００９２】
[0096]図５は、本開示の様々な態様による、ｅＭＴＣのためのシステム情報のために構成されたワイヤレスデバイス５００のブロック図を示す。ワイヤレスデバイス５００は、図１〜図４を参照しながら説明されたＵＥ１１５の態様の一例であり得る。ワイヤレスデバイス５００は、受信機５０５、ｅＭＴＣ  ＳＩＢモジュール５１０、または送信機５１５を含み得る。ワイヤレスデバイス５００はプロセッサをも含み得る。これらの構成要素の各々は互いと通信していることがある。
【００９３】
[0097]受信機５０５は、パケット、ユーザデータ、または様々な情報チャネルに関連する制御情報（たとえば、制御チャネル、データチャネル、およびｅＭＴＣのためのシステム情報に関係する情報など）などの情報を受信し得る。情報は、ｅＭＴＣ  ＳＩＢモジュール５１０に、およびワイヤレスデバイス５００の他の構成要素に受け渡され得る。
【００９４】
[0098]ｅＭＴＣ  ＳＩＢモジュール５１０は、基地局との通信のための帯域幅または複信構成を決定し、帯域幅または複信構成に基づいて、ＳＩＢのためのスケジューリングパラメータを決定し、スケジューリングパラメータに従ってＳＩＢを受信し得る。
【００９５】
[0099]送信機５１５は、ワイヤレスデバイス５００の他の構成要素から受信された信号を送信し得る。いくつかの例では、送信機５１５は、トランシーバモジュール中で受信機５０５とコロケートされ得る。送信機５１５は単一のアンテナを含み得るか、またはそれは複数のアンテナを含み得る。
【００９６】
[0100]図６は、本開示の様々な態様による、ｅＭＴＣのためのシステム情報のためのワイヤレスデバイス６００のブロック図を示す。ワイヤレスデバイス６００は、図１〜図５を参照しながら説明されたワイヤレスデバイス５００またはＵＥ１１５の態様の一例であり得る。ワイヤレスデバイス６００は、受信機５０５−ａ、ｅＭＴＣ  ＳＩＢモジュール５１０−ａ、または送信機５１５−ａを含み得る。ワイヤレスデバイス６００はプロセッサをも含み得る。これらの構成要素の各々は互いと通信していることがある。ｅＭＴＣ  ＳＩＢモジュール５１０−ａはまた、システムプロパティモジュール６０５と、ＳＩＢスケジューリングパラメータモジュール６１０と、ＳＩＢモニタモジュール６１５とを含み得る。
【００９７】
[0101]受信機５０５−ａは、ｅＭＴＣ  ＳＩＢモジュール５１０−ａに、およびワイヤレスデバイス６００の他の構成要素に受け渡され得る情報を受信し得る。ｅＭＴＣ  ＳＩＢモジュール５１０−ａは、図５を参照しながら説明された動作を実行し得る。送信機５１５−ａは、ワイヤレスデバイス６００の他の構成要素から受信された信号を送信し得る。
【００９８】
[0102]システムプロパティモジュール６０５は、図２〜図４を参照しながら説明されたように、基地局との通信のための帯域幅または複信構成を決定し得る。いくつかの例では、帯域幅および複信構成は、ブロードキャスト通信に基づいて決定され得る。いくつかの例では、ブロードキャスト通信は、ＭＩＢ、ＰＳＳ、またはＳＳＳのうちの少なくとも１つを含む。
【００９９】
[0103]ＳＩＢスケジューリングパラメータモジュール６１０は、図２〜図４を参照しながら説明されたように、帯域幅または複信構成に基づいてＳＩＢのためのスケジューリングパラメータを決定し得る。いくつかの例では、ＳＩＢのためのスケジューリングパラメータは、繰返しレベル、トランスポートブロックサイズ、またはサブフレームインデックスのうちの少なくとも１つを含む。いくつかの例では、ＳＩＢのためのスケジューリングパラメータは、割り当てられたリソースブロックの数を含む。いくつかの例では、ＳＩＢはＭＴＣ  ＳＩＢ１を含む。
【０１００】
[0104]ＳＩＢモニタモジュール６１５は、図２〜図４を参照しながら説明されたように、スケジューリングパラメータに従ってＳＩＢを受信し得る。ＳＩＢモニタモジュール６１５はまた、利用可能なリソースを識別することに基づいて、狭帯域領域内でＳＩＢをモニタし得る。ＳＩＢモニタモジュール６１５はまた、ブロードキャストチャネルがＴＴＩ中にスケジュールされるという決定に基づいて、ＴＴＩ中にＳＩＢをモニタすることを控え得る。いくつかの例では、ＳＩＢを受信するために利用可能なリソースは、ブロードキャストチャネルを除外する狭帯域領域のサブキャリアを含み、ＳＩＢをモニタすることは、ブロードキャストチャネルを除外するサブキャリア上でＴＴＩ中にＳＩＢをモニタすることを含む。いくつかの例では、ＳＩＢを受信するために利用可能なリソースは、狭帯域領域内のサブキャリアの利用可能な部分を含み、サブキャリアはブロードキャストチャネルを含み、利用可能な部分は、ブロードキャストチャネルを除外するリソース要素を含み、ＳＩＢをモニタすることは、サブキャリアの利用可能な部分上でＴＴＩ中にＳＩＢをモニタすることを含む。ＳＩＢモニタモジュール６１５はまた、ＣＲＳ送信のために利用可能なリソース要素をモニタすることを控え得る。
【０１０１】
[0105]図７は、本開示の様々な態様による、ｅＭＴＣのためのシステム情報のためのワイヤレスデバイス５００またはワイヤレスデバイス６００の構成要素であり得る、ｅＭＴＣ  ＳＩＢモジュール５１０−ｂのブロック図７００を示す。ｅＭＴＣ  ＳＩＢモジュール５１０−ｂは、図５〜図６を参照しながら説明されたｅＭＴＣ  ＳＩＢモジュール５１０の態様の一例であり得る。ｅＭＴＣ  ＳＩＢモジュール５１０−ｂは、システムプロパティモジュール６０５−ａと、ＳＩＢスケジューリングパラメータモジュール６１０−ａと、ＳＩＢモニタモジュール６１５−ａとを含み得る。これらのモジュールの各々は、図６を参照しながら説明された機能を実行し得る。ｅＭＴＣ  ＳＩＢモジュール５１０−ｂは、ＭＩＢ解釈モジュール７０５と、周波数ホッピングモジュール７１０と、ＰＢＣＨスケジューリングモジュール７１５と、ＳＩＢリソース識別モジュール７２０とをも含み得る。
【０１０２】
[0106]ＭＩＢ解釈モジュール７０５は、図２〜図４を参照しながら説明されたように、ブロードキャスト通信におけるＳＩＢのためのスケジューリングパラメータを示すシグナリングを受信し得、スケジューリングパラメータを決定することは、決定された帯域幅または複信構成に基づいて、受信されたシグナリングを解釈することを含み得る。いくつかの例では、ブロードキャスト通信はＭＩＢを含む。いくつかの例では、シグナリングは、ＳＩＢのためのスケジューリングパラメータを示すビットフィールドを含む。
【０１０３】
[0107]周波数ホッピングモジュール７１０は、図２〜図４を参照しながら説明されたように、基地局との通信のための周波数ホッピング構成を決定し得、ＳＩＢのためのスケジューリングパラメータは、周波数ホッピング構成に基づいて決定され得る。
【０１０４】
[0108]ＰＢＣＨスケジューリングモジュール７１５は、図２〜図４を参照しながら説明されたように、ブロードキャストチャネルがシステム帯域幅の狭帯域領域内でＴＴＩ中にスケジュールされると決定し得る。
【０１０５】
[0109]ＳＩＢリソース識別モジュール７２０は、図２〜図４を参照しながら説明されたように、決定に基づいて、ＴＴＩ中にＳＩＢを受信するために利用可能なリソースを識別し得る。いくつかの例では、利用可能なリソースは、ブロードキャストチャネルを除外するＴＴＩのリソースブロックを含み、ＳＩＢをモニタすることは、ブロードキャストチャネルを除外するＴＴＩのリソースブロック上でＳＩＢをモニタすることを含む。ＳＩＢリソース識別モジュール７２０はまた、ブロードキャストチャネル繰返しのために利用可能なリソース要素の第１のセットを識別し得、ＳＩＢをモニタすることは、第１のセットのリソース要素を除外するリソース要素の第２のセット上でＴＴＩ中にＳＩＢをモニタすることを含み得る。いくつかの例では、ＳＩＢをモニタすることは、ＣＲＳ送信のために利用可能であるＴＴＩのリソース要素上でモニタすることを含む。ＳＩＢリソース識別モジュール７２０は、ブロードキャストチャネル繰返しのために利用可能なＴＴＩのリソース要素の１つまたは複数のセットを識別し得る。
【０１０６】
[0110]図８は、本開示の様々な態様による、ｅＭＴＣのためのシステム情報のために構成されたＵＥ１１５を含むシステム８００の図を示す。システム８００は、図１、図２および図５〜図７を参照しながら説明されたワイヤレスデバイス５００、ワイヤレスデバイス６００、またはＵＥ１１５の一例であり得る、ＵＥ１１５−ｃを含み得る。ＵＥ１１５−ｃは、図５〜図７を参照しながら説明されたｅＭＴＣ  ＳＩＢモジュール５１０の一例であり得る、ｅＭＴＣ  ＳＩＢモジュール８１０を含み得る。ＵＥ１１５−ｃはＭＴＣモジュール８２５をも含み得る。ＭＴＣモジュール８２５は、本開示で説明されるように、ＭＴＣ通信を可能にし得る。たとえば、ＭＴＣモジュール８２５は、狭帯域通信、周波数ホッピング、ＭＴＣ固有システム情報のモニタ、または他の電力節約技法を可能にし得る。ＵＥ１１５−ｃは、通信を送信するための構成要素と通信を受信するための構成要素とを含む、双方向音声およびデータ通信のための構成要素をも含み得る。たとえば、ＵＥ１１５−ｃは基地局１０５−ｃと双方向に通信し得る。
【０１０７】
[0111]ＵＥ１１５−ｃは、プロセッサ８０５と、（ソフトウェア（ＳＷ）８２０を含む）メモリ８１５と、トランシーバ８３５と、１つまたは複数のアンテナ８４０とをも含み得、それらの各々は、（たとえば、バス８４５を介して）互いと直接または間接的に通信し得る。トランシーバ８３５は、上記で説明されたように、（１つまたは複数の）アンテナ８４０あるいはワイヤードリンクまたはワイヤレスリンクを介して、１つまたは複数のネットワークと双方向に通信し得る。たとえば、トランシーバ８３５は、基地局１０５または別のＵＥ１１５と双方向に通信し得る。トランシーバ８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｃは単一のアンテナ８４０を含み得るが、ＵＥ１１５−ｃはまた、複数のワイヤレス送信をコンカレントに送信または受信することが可能な複数のアンテナ８４０をも有し得る。
【０１０８】
[0112]メモリ８１５は、ランダムアクセスメモリ（ＲＡＭ）および読取り専用メモリ（ＲＯＭ）を含み得る。メモリ８１５は、実行されたとき、プロセッサ８０５に本明細書で説明される様々な機能（たとえば、ｅＭＴＣのためのシステム情報など）を実行させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに本明細書で説明される機能を実行させ得る。プロセッサ８０５は、インテリジェントハードウェアデバイス、（たとえば、中央処理ユニット（ＣＰＵ）、マイクロコントローラ、特定用途向け集積回路（ＡＳＩＣ）など）を含み得る。
【０１０９】
[0113]図９は、本開示の様々な態様による、ｅＭＴＣのためのシステム情報のために構成されたワイヤレスデバイス９００のブロック図を示す。ワイヤレスデバイス９００は、図１〜図８を参照しながら説明された基地局１０５の態様の一例であり得る。ワイヤレスデバイス９００は、受信機９０５、基地局ｅＭＴＣ  ＳＩＢモジュール９１０、または送信機９１５を含み得る。ワイヤレスデバイス９００はプロセッサをも含み得る。これらの構成要素の各々は互いと通信していることがある。
【０１１０】
[0114]受信機９０５は、パケット、ユーザデータ、または様々な情報チャネルに関連する制御情報（たとえば、制御チャネル、データチャネル、およびｅＭＴＣのためのシステム情報に関係する情報など）などの情報を受信し得る。情報は、基地局ｅＭＴＣ  ＳＩＢモジュール９１０に、およびワイヤレスデバイス９００の他の構成要素に受け渡され得る。
【０１１１】
[0115]基地局ｅＭＴＣ  ＳＩＢモジュール９１０は、ＵＥまたはＵＥのグループとの通信のための帯域幅または複信構成を決定し、帯域幅または複信構成に基づいて、ＳＩＢのためのスケジューリングパラメータを決定し、スケジューリングパラメータに従ってＳＩＢを送信し得る。
【０１１２】
[0116]送信機９１５は、ワイヤレスデバイス９００の他の構成要素から受信された信号を送信し得る。いくつかの例では、送信機９１５は、トランシーバモジュール中で受信機９０５とコロケートされ得る。送信機９１５は単一のアンテナを含み得るか、またはそれは複数のアンテナを含み得る。
【０１１３】
[0117]図１０は、本開示の様々な態様による、ｅＭＴＣのためのシステム情報のためのワイヤレスデバイス１０００のブロック図を示す。ワイヤレスデバイス１０００は、図１〜図９を参照しながら説明されたワイヤレスデバイス９００または基地局１０５の態様の一例であり得る。ワイヤレスデバイス１０００は、受信機９０５−ａ、基地局ｅＭＴＣ  ＳＩＢモジュール９１０−ａ、または送信機９１５−ａを含み得る。ワイヤレスデバイス１０００はプロセッサをも含み得る。これらの構成要素の各々は互いと通信していることがある。基地局ｅＭＴＣ  ＳＩＢモジュール９１０−ａは、ＢＳシステムプロパティモジュール１００５と、ＢＳ  ＳＩＢスケジューリングパラメータモジュール１０１０と、ＳＩＢ送信モジュール１０１５と、ＢＳ  ＰＢＣＨスケジューリングモジュール１０２０と、ＢＳ  ＳＩＢリソース識別モジュール１０２５と、ＳＩＢマッピングモジュール１０３０とをも含み得る。
【０１１４】
[0118]受信機９０５−ａは、基地局ｅＭＴＣ  ＳＩＢモジュール９１０−ａに、およびワイヤレスデバイス１０００の他の構成要素に受け渡され得る情報を受信し得る。基地局ｅＭＴＣ  ＳＩＢモジュール９１０−ａは、図９を参照しながら説明された動作を実行し得る。送信機９１５−ａは、ワイヤレスデバイス１０００の他の構成要素から受信された信号を送信し得る。ＢＳシステムプロパティモジュール１００５は、図２〜図４を参照しながら説明されたように、ＵＥまたはＵＥのグループとの通信のための帯域幅または複信構成を決定し得る。ＢＳ  ＳＩＢスケジューリングパラメータモジュール１０１０は、図２〜図４を参照しながら説明されたように、帯域幅または複信構成に基づいてＳＩＢのためのスケジューリングパラメータを決定し得る。
【０１１５】
[0119]ＳＩＢ送信モジュール１０１５は、図２〜図４を参照しながら説明されたように、スケジューリングパラメータに従ってＳＩＢを送信し得る。ＢＳ  ＰＢＣＨスケジューリングモジュール１０２０は、図２〜図４を参照しながら説明されたように、ブロードキャストチャネルがシステム帯域幅の狭帯域領域内でＴＴＩ中にスケジュールされると決定し得る。ＢＳ  ＳＩＢリソース識別モジュール１０２５は、図２〜図４を参照しながら説明されたように、決定に基づいて、ＴＴＩ中にＳＩＢのために利用可能なリソースを識別し得る。
【０１１６】
[0120]ＳＩＢマッピングモジュール１０３０は、図２〜図４を参照しながら説明されたように、ＴＴＩの利用可能なリソースを識別することに基づいて、狭帯域領域内のリソースにＳＩＢをマッピングし得る。ＳＩＢマッピングモジュール１０３０はまた、ＴＴＩ内のリソースにＳＩＢをマッピングすることを控え得る。いくつかの例では、ＳＩＢを受信するために利用可能なリソースは、ブロードキャストチャネルを除外するサブキャリアを含み、ＳＩＢをマッピングすることは、ブロードキャストチャネルを除外するサブキャリア上にＴＴＩ内のＳＩＢをマッピングすることを含む。いくつかの例では、ＳＩＢを受信するために利用可能なリソースは、狭帯域領域内のサブキャリアの利用可能な部分を含み、サブキャリアはブロードキャストチャネルを含み得、利用可能な部分は、ブロードキャストチャネルを除外するリソース要素を含み、ＳＩＢをマッピングすることは、サブキャリアの利用可能な部分上にＴＴＩ内のＳＩＢをマッピングすることを含む。いくつかの例では、ＳＩＢをマッピングすることは、第１のセットのリソース要素を除外するＴＴＩのリソース要素の第２のセット上にＳＩＢをマッピングすることを含む。いくつかの例では、ＳＩＢをマッピングすることは、ＣＲＳ送信のために利用可能なリソース要素上にＳＩＢをマッピングすることを含む。いくつかの例では、ＳＩＢをマッピングすることは、ＣＲＳ送信のために利用可能なものを除外するリソース要素上にＳＩＢをマッピングすることを含む。
【０１１７】
[0121]図１１は、本開示の様々な態様による、ｅＭＴＣのためのシステム情報のためのワイヤレスデバイス９００またはワイヤレスデバイス１０００の構成要素であり得る、基地局ｅＭＴＣ  ＳＩＢモジュール９１０−ｂのブロック図１１００を示す。基地局ｅＭＴＣ  ＳＩＢモジュール９１０−ｂは、図９〜図１０を参照しながら説明された基地局ｅＭＴＣ  ＳＩＢモジュール９１０の態様の一例であり得る。基地局ｅＭＴＣ  ＳＩＢモジュール９１０−ｂは、ＢＳシステムプロパティモジュール１００５−ａと、ＢＳ  ＳＩＢスケジューリングパラメータモジュール１０１０−ａと、ＳＩＢ送信モジュール１０１５−ａと、ＢＳ  ＰＢＣＨスケジューリングモジュール１０２０−ａと、ＢＳ  ＳＩＢリソース識別モジュール１０２５−ａと、ＳＩＢマッピングモジュール１０３０−ａとを含み得る。これらのモジュールの各々は、図１０を参照しながら説明された機能を実行し得る。基地局ｅＭＴＣ  ＳＩＢモジュール９１０−ｂは、ＭＩＢ送信モジュール１１０５とＢＳ周波数ホッピングモジュール１１１０とをも含み得る。
【０１１８】
[0122]ＭＩＢ送信モジュール１１０５は、図２〜図４を参照しながら説明されたように、ＳＩＢのためのスケジューリングパラメータが、帯域幅または複信構成に基づいて示され得るように、ブロードキャスト通信におけるＳＩＢのためのスケジューリングパラメータを示すシグナリングを送信し得る。いくつかの例では、ブロードキャスト通信は、ＭＩＢ、あるいは同期信号ＰＳＳまたはＳＳＳを含む。いくつかの例では、シグナリングは、スケジューリングパラメータを示すビットフィールドを含む。
【０１１９】
[0123]ＢＳ周波数ホッピングモジュール１１１０は、図２〜図４を参照しながら説明されたように、周波数ホッピング構成を決定し得、スケジューリングパラメータは、周波数ホッピング構成に基づいて決定され得る。
【０１２０】
[0124]図１２は、本開示の様々な態様による、ｅＭＴＣのためのシステム情報のために構成された基地局１０５を含むシステム１２００の図を示す。システム１２００は、図１、図２、および図９〜図１１を参照しながら説明されたワイヤレスデバイス９００、ワイヤレスデバイス１０００、または基地局１０５の一例であり得る、基地局１０５−ｄを含み得る。基地局１０５−ｄは、図９〜図１１を参照しながら説明された基地局ｅＭＴＣ  ＳＩＢモジュール９１０の一例であり得る、基地局ｅＭＴＣ  ＳＩＢモジュール１２１０を含み得る。基地局１０５−ｄは、通信を送信するための構成要素と通信を受信するための構成要素とを含む、双方向音声およびデータ通信のための構成要素をも含み得る。たとえば、基地局１０５−ｄは、ＵＥ１１５−ｄまたはＵＥ１１５−ｅと双方向に通信し得る。
【０１２１】
[0125]いくつかの場合には、基地局１０５−ｄは１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｅおよび基地局１０５−ｆなど、他の基地局１０５と通信し得る。基地局１０５の各々は、同じまたは異なるワイヤレス通信技術を使用してＵＥ１１５と通信し得る。いくつかの場合には、基地局１０５−ｄは、基地局通信モジュール１２２５を利用して１０５−ｅまたは１０５−ｆなどの他の基地局と通信し得る。いくつかの例では、基地局通信モジュール１２２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｄは、コアネットワーク１３０を通して他の基地局と通信し得る。いくつかの場合には、基地局１０５−ｄは、ネットワーク通信モジュール１２３０を通してコアネットワーク１３０と通信し得る。
【０１２２】
[0126]基地局１０５−ｄは、プロセッサ１２０５と、（ソフトウェア（ＳＷ）１２２０を含む）メモリ１２１５と、トランシーバ１２３５と、（１つまたは複数の）アンテナ１２４０とを含み得、それらの各々は、（たとえば、バスシステム１２４５を介して）互いと直接または間接的に通信していることがある。トランシーバ１２３５は、（１つまたは複数の）アンテナ１２４０を介して、マルチモードデバイスであり得るＵＥ１１５と双方向に通信するように構成され得る。トランシーバ１２３５（または基地局１０５−ｄの他の構成要素）はまた、アンテナ１２４０を介して、１つまたは複数の他の基地局（図示せず）と双方向に通信するように構成され得る。トランシーバ１２３５は、パケットを変調し、変調されたパケットを送信のためにアンテナ１２４０に与え、アンテナ１２４０から受信されたパケットを復調するように構成されたモデムを含み得る。基地局１０５−ｄは、各々が１つまたは複数の関連するアンテナ１２４０をもつ、複数のトランシーバ１２３５を含み得る。トランシーバは、図９の組み合わせられた受信機９０５および送信機９１５の一例であり得る。
【０１２３】
[0127]メモリ１２１５はＲＡＭおよびＲＯＭを含み得る。メモリ１２１５はまた、実行されたとき、プロセッサ１２０５に本明細書で説明される様々な機能（たとえば、ｅＭＴＣのためのシステム情報、カバレージ拡張技法を選択すること、呼処理、データベース管理、メッセージルーティングなど）を実行させるように構成された命令を含んでいるコンピュータ可読、コンピュータ実行可能ソフトウェアコード１２２０を記憶し得る。代替的に、ソフトウェアコード１２２０は、プロセッサ１２０５によって直接的に実行可能でないことがあるが、たとえば、コンパイルされ実行されたとき、コンピュータに本明細書で説明される機能を実行させるように構成され得る。プロセッサ１２０５は、インテリジェントハードウェアデバイス、たとえば、ＣＰＵ、マイクロコントローラ、ＡＳＩＣなどを含み得る。プロセッサ１２０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１２４】
[0128]基地局通信モジュール１２２５は、他の基地局１０５との通信を管理し得る。いくつかの場合には、通信管理モジュールは、他の基地局１０５と協働してＵＥ１１５との通信を制御するためのコントローラまたはスケジューラを含み得る。たとえば、基地局通信モジュール１２２５は、ビームフォーミングまたはジョイント送信などの様々な干渉緩和技法のためのＵＥ１１５への送信のためのスケジューリングを協調させ得る。
【０１２５】
[0129]ワイヤレスデバイス５００、ワイヤレスデバイス６００、ｅＭＴＣ  ＳＩＢモジュール５１０、システム８００、ワイヤレスデバイス９００、ワイヤレスデバイス１０００、ＢＳ  ｅＭＴＣ  ＳＩＢモジュール９１０、およびシステム１２００の構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１２６】
[0130]図１３は、本開示の様々な態様による、ｅＭＴＣのためのシステム情報のための方法１３００を示すフローチャートを示す。方法１３００の動作は、図１〜図１２を参照しながら説明されたように、ＵＥ１１５またはそれの構成要素によって実装され得る。たとえば、方法１３００の動作は、図５〜図８を参照しながら説明されたように、ｅＭＴＣ  ＳＩＢモジュール５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０１２７】
[0131]ブロック１３０５において、ＵＥ１１５は、図２〜図４を参照しながら説明されたように、基地局との通信のための帯域幅または複信構成を決定する。いくつかの例では、ブロック１３０５の動作は、図６を参照しながら説明されたように、システムプロパティモジュール６０５によって実行され得る。
【０１２８】
[0132]ブロック１３１０において、ＵＥ１１５は、図２〜図４を参照しながら説明されたように、帯域幅または複信構成に基づいて、ＳＩＢのためのスケジューリングパラメータを決定する。いくつかの例では、ブロック１３１０の動作は、図６を参照しながら説明されたように、ＳＩＢスケジューリングパラメータモジュール６１０によって実行され得る。
【０１２９】
[0133]ブロック１３１５において、ＵＥ１１５は、図２〜図４を参照しながら説明されたように、スケジューリングパラメータに従ってＳＩＢを受信する。いくつかの例では、ブロック１３１５の動作は、図６を参照しながら説明されたように、ＳＩＢモニタモジュール６１５によって実行され得る。
【０１３０】
[0134]図１４は、本開示の様々な態様による、ｅＭＴＣのためのシステム情報のための方法１４００を示すフローチャートを示す。方法１４００の動作は、図１〜図１２を参照しながら説明されたように、ＵＥ１１５またはそれの構成要素によって実装され得る。たとえば、方法１４００の動作は、図５〜図８を参照しながら説明されたように、ｅＭＴＣ  ＳＩＢモジュール５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１４００はまた、図１３の方法１３００の態様を組み込み得る。
【０１３１】
[0135]ブロック１４０５において、ＵＥ１１５は、図２〜図４を参照しながら説明されたように、ブロードキャスト通信においてＳＩＢのためのスケジューリングパラメータを示すシグナリングを受信する。いくつかの例では、ブロック１４０５の動作は、図７を参照しながら説明されたように、ＭＩＢ解釈モジュール７０５によって実行され得る。
【０１３２】
[0136]ブロック１４１０において、ＵＥ１１５は、図２〜図４を参照しながら説明されたように、基地局との通信のための帯域幅または複信構成を決定する。いくつかの例では、ブロック１４１０の動作は、図６を参照しながら説明されたように、システムプロパティモジュール６０５によって実行され得る。
【０１３３】
[0137]ブロック１４１５において、ＵＥ１１５は、図２〜図４を参照しながら説明されたように、帯域幅または複信構成に基づいて、受信されたシグナリングを解釈することによって、ＳＩＢのためのスケジューリングパラメータを決定する。いくつかの例では、ブロック１４１５の動作は、図６を参照しながら説明されたように、ＳＩＢスケジューリングパラメータモジュール６１０によって実行され得る。
【０１３４】
[0138]ブロック１４２０において、ＵＥ１１５は、図２〜図４を参照しながら説明されたように、スケジューリングパラメータに従ってＳＩＢを受信する。いくつかの例では、ブロック１４２０の動作は、図６を参照しながら説明されたように、ＳＩＢモニタモジュール６１５によって実行され得る。
【０１３５】
[0139]図１５は、本開示の様々な態様による、ｅＭＴＣのためのシステム情報のための方法１５００を示すフローチャートを示す。方法１５００の動作は、図１〜図１２を参照しながら説明されたように、ＵＥ１１５またはそれの構成要素によって実装され得る。たとえば、方法１５００の動作は、図５〜図８を参照しながら説明されたように、ｅＭＴＣ  ＳＩＢモジュール５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１５００はまた、図１３〜図１４の方法１３００、および１４００の態様を組み込み得る。
【０１３６】
[0140]ブロック１５０５において、ＵＥ１１５は、基地局との通信のための周波数ホッピング構成を決定する。いくつかの例では、ブロック１５０５の動作は、図７を参照しながら説明されたように、周波数ホッピングモジュール７１０によって実行され得る。
【０１３７】
[0141]ブロック１５１０において、ＵＥ１１５は、図２〜図４を参照しながら説明されたように、基地局との通信のための帯域幅または複信構成を決定する。いくつかの例では、ブロック１５１０の動作は、図６を参照しながら説明されたように、システムプロパティモジュール６０５によって実行され得る。
【０１３８】
[0142]ブロック１５１５において、ＵＥ１１５は、図２〜図４を参照しながら説明されたように、周波数ホッピング構成あるいは帯域幅または複信構成に基づいて、ＳＩＢのためのスケジューリングパラメータを決定する。いくつかの例では、ブロック１５１５の動作は、図６を参照しながら説明されたように、ＳＩＢスケジューリングパラメータモジュール６１０によって実行され得る。
【０１３９】
[0143]ブロック１５２０において、ＵＥ１１５は、図２〜図４を参照しながら説明されたように、スケジューリングパラメータに従ってＳＩＢを受信する。いくつかの例では、ブロック１５２０の動作は、図６を参照しながら説明されたように、ＳＩＢモニタモジュール６１５によって実行され得る。
【０１４０】
[0144]図１６は、本開示の様々な態様による、ｅＭＴＣのためのシステム情報のための方法１６００を示すフローチャートを示す。方法１６００の動作は、図１〜図１２を参照しながら説明されたように、ＵＥ１１５またはそれの構成要素によって実装され得る。たとえば、方法１６００の動作は、図５〜図８を参照しながら説明されたように、ｅＭＴＣ  ＳＩＢモジュール５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１６００はまた、図１３〜図１５の方法１３００、１４００、および１５００の態様を組み込み得る。
【０１４１】
[0145]ブロック１６０５において、ＵＥ１１５は、図２〜図４を参照しながら説明されたように、ブロードキャストチャネルがシステム帯域幅の狭帯域領域内でＴＴＩ中にスケジュールされると決定する。いくつかの例では、ブロック１６０５の動作は、図７を参照しながら説明されたように、ＰＢＣＨスケジューリングモジュール７１５によって実行され得る。
【０１４２】
[0146]ブロック１６１０において、ＵＥ１１５は、図２〜図４を参照しながら説明されたように、決定に基づいて、ＴＴＩ中にＳＩＢを受信するために利用可能なリソースを識別する。いくつかの例では、ブロック１６１０の動作は、図７を参照しながら説明されたように、ＳＩＢリソース識別モジュール７２０によって実行され得る。
【０１４３】
[0147]ブロック１６１５において、ＵＥ１１５は、図２〜図４を参照しながら上記で説明されたように、利用可能なリソースを識別することに基づいて、狭帯域領域内でＳＩＢをモニタする。いくつかの例では、ブロック１６１５の動作は、図６を参照しながら説明されたように、ＳＩＢモニタモジュール６１５によって実行され得る。
【０１４４】
[0148]図１７は、本開示の様々な態様による、ｅＭＴＣのためのシステム情報のための方法１７００を示すフローチャートを示す。方法１７００の動作は、図１〜図１２を参照しながら説明されたように、基地局１０５またはそれの構成要素によって実装され得る。たとえば、方法１７００の動作は、図９〜図１２を参照しながら説明されたように、基地局ｅＭＴＣ  ＳＩＢモジュール９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。
【０１４５】
[0149]ブロック１７０５において、基地局１０５は、図２〜図４を参照しながら説明されたように、ＵＥまたはＵＥのグループとの通信のための帯域幅または複信構成を決定する。いくつかの例では、ブロック１７０５の動作は、図１０を参照しながら説明されたように、ＢＳシステムプロパティモジュール１００５によって実行され得る。
【０１４６】
[0150]ブロック１７１０において、基地局１０５は、図２〜図４を参照しながら説明されたように、帯域幅または複信構成に基づいて、ＳＩＢのためのスケジューリングパラメータを決定する。いくつかの例では、ブロック１７１０の動作は、図６を参照しながら説明されたように、ＳＩＢスケジューリングパラメータモジュール６１０によって実行され得る。
【０１４７】
[0151]ブロック１７１５において、基地局１０５は、図２〜図４を参照しながら説明されたように、スケジューリングパラメータに従ってＳＩＢを送信する。いくつかの例では、ブロック１７１５の動作は、図１０を参照しながら説明されたように、ＳＩＢ送信モジュール１０１５によって実行され得る。
【０１４８】
[0152]図１８は、本開示の様々な態様による、ｅＭＴＣのためのシステム情報のための方法１８００を示すフローチャートを示す。方法１８００の動作は、図１〜図１２を参照しながら説明されたように、基地局１０５またはそれの構成要素によって実装され得る。たとえば、方法１８００の動作は、図９〜図１２を参照しながら説明されたように、基地局ｅＭＴＣ  ＳＩＢモジュール９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法１８００はまた、図１７の方法１７００の態様を組み込み得る。
【０１４９】
[0153]ブロック１８０５において、基地局１０５は、図２〜図４を参照しながら説明されたように、ブロードキャストチャネルがシステム帯域幅の狭帯域領域内でＴＴＩ中にスケジュールされると決定する。いくつかの例では、ブロック１８０５の動作は、図７を参照しながら説明されたように、ＰＢＣＨスケジューリングモジュール７１５によって実行され得る。
【０１５０】
[0154]ブロック１８１０において、基地局１０５は、図２〜図４を参照しながら説明されたように、決定に基づいて、ＴＴＩ中にＳＩＢのために利用可能なリソースを識別する。いくつかの例では、ブロック１８１０の動作は、図１０を参照しながら説明されたように、ＢＳ  ＳＩＢリソース識別モジュール１０２５によって実行され得る。
【０１５１】
[0155]ブロック１８１５において、基地局１０５は、図２〜図４を参照しながら説明されたように、ＴＴＩの利用可能なリソースを識別することに基づいて、狭帯域領域内のリソースにＳＩＢをマッピングする。いくつかの例では、ブロック１８１５の動作は、図１０を参照しながら説明されたように、ＳＩＢマッピングモジュール１０３０によって実行され得る。
【０１５２】
[0156]したがって、方法１３００、１４００、１５００、１６００、１７００、および１８００は、ｅＭＴＣのためのシステム情報を与え得る。方法１３００、１４００、１５００、１６００、１７００、および１８００は可能な実装形態を表すこと、ならびに動作およびステップは、他の実装形態が可能であるように、並べ替えられるかまたは場合によっては変更され得ることに留意されたい。いくつかの例では、方法１３００、１４００、１５００、１６００、１７００、および１８００のうちの２つまたはそれ以上からの態様が組み合わせられ得る。
【０１５３】
[0157]本明細書の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わせられ得る。
【０１５４】
[0158]本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサルテレストリアルラジオアクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。時分割多元接続（ＴＤＭＡ）システムは、グローバルシステムフォーモバイルコミュニケーション（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グ
ローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のシステムおよび無線技術、ならびに他のシステムおよび無線技術のために使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１５５】
[0159]本明細書で説明されるそのようなネットワークを含む、ＬＴＥ／ＬＴＥ−Ａネットワークでは、発展型ノードＢ（ｅＮＢ）という用語は、概して、基地局を表すために使用され得る。本明細書で説明される１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０１５６】
[0160]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、あるいはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１５７】
[0161]マクロセルは、概して、比較的大きい地理的エリア（たとえば、半径数キロメートル）をカバーし、サービスに加入しているＵＥによるネットワークプロバイダとの無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセルおよびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１５８】
[0162]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【０１５９】
[0163]本明細書で説明されるダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）動作を使用して（たとえば、対スペクトルリソースを使用して）またはＴＤＤ動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【０１６０】
[0164]添付の図面に関して本明細書に記載される説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０１６１】
[0165]添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【０１６２】
[0166]本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１６３】
[0167]本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１６４】
[0168]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１６５】
[0169]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１６６】
[0170]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2018518114.tif 000007
【図２】
2018518114.tif 000008
【図３Ａ】
2018518114.tif 000009
【図３Ｂ】
2018518114.tif 000010
【図３Ｃ】
2018518114.tif 000011
【図３Ｄ】
2018518114.tif 000012
【図４】
2018518114.tif 000013
【図５】
2018518114.tif 000014
【図６】
2018518114.tif 000015
【図７】
2018518114.tif 000016
【図８】
2018518114.tif 000017
【図９】
2018518114.tif 000018
【図１０】
2018518114.tif 000019
【図１１】
2018518114.tif 000020
【図１２】
2018518114.tif 000021
【図１３】
2018518114.tif 000022
【図１４】
2018518114.tif 000023
【図１５】
2018518114.tif 000024
【図１６】
2018518114.tif 000025
【図１７】
2018518114.tif 000026
【図１８】
2018518114.tif 000027
【国際調査報告】
2018518114.tif 000028
2018518114.tif 000029
2018518114.tif 000030